(57)【特許請求の範囲】
【請求項１】
複数のページからなる一群の送信データを循環的に送信し、受信装置で受信した受信データの内、１ページ分の受信データを選択して受信装置の表示画面に表示させるテレビ放送システムにおけるデータ受信装置であって、
受信データの各ページ毎に、表示画面に表示された回数を記憶する表示回数記憶手段と、
自動モードの選択操作手段と、
自動モードの選択操作があると、１ページ分の受信データを選択して表示画面に表示させる第１の表示制御手段と、
表示画面に新たな受信データが表示される度に、所定の時間内に、表示回数記憶手段を参照し、そのとき表示されているページの表示回数よりも少ない表示回数のページを次に表示させるページとして決定する次ページ決定手段と、
前記所定の時間が経過すると、次ページ決定手段が決定したページの受信データを選択し、そのとき表示されている受信データに代えて選択した受信データを表示画面に表示させる第２の表示制御手段とを備えたことを特徴とするデータ受信装置。
【請求項２】
ページ相互間が１方向または双方向に関連付けられた参照関係を有する複数のページからなる一群の送信データを循環的に送信し、受信装置で受信した受信データの内、１ページ分の受信データを選択して受信装置の表示画面に表示させるテレビ放送システムにおけるデータ受信装置であって、
自動モードの選択操作手段と、
自動モードの選択操作があると、１ページ分の受信データを選択して表示画面に表示させる第１の表示制御手段と、
表示画面に新たな受信データが表示される度に、所定の時間内に、そのとき表示されているページが参照しているページを次に表示させるページとして決定する次ページ決定手段と、
前記所定の時間が経過すると、次ページ決定手段が決定したページの受信データを選択し、そのとき表示されている受信データに代えて選択した受信データを表示画面に表示させる第２の表示制御手段とを備えたことを特徴とするデータ受信装置。
【請求項３】
受信データの各ページ毎に、表示画面に表示された回数を記憶する表示回数記憶手段と、
前記次ページ決定手段が次ページを決定できないときには、前記表示回数記憶手段を参照し、そのとき表示されているページの表示回数よりも少ない表示回数のページを次に表示させるページとして決定する代替ページ決定手段とを備えたことを特徴とする請求項２記載のデータ受信装置。
【請求項４】
受信データの各ページ毎に、表示画面に表示された回数を記憶する表示回数記憶手段と、
自動モードの選択操作があると、時間の測定を開始する時間測定手段と、
前記時間測定手段の測定した時間が所定時間となる度に、前記次ページ決定手段の制御を停止し、前記表示回数記憶手段を参照し、そのとき表示されているページの表示回数よりも少ない表示回数のページを次に表示させるページとして決定する代替ページ決定手段とを備えたことを特徴とする請求項２記載のデータ受信装置。
【請求項５】
受信データの各ページ毎に、表示画面に表示された回数を記憶する表示回数記憶手段と、
自動モードの選択操作があると、受信データが表示画面に表示された回数の記録を開始する表示回数記録手段と、
前記表示回数記録手段が記録した回数が所定回数となる度に、前記次ページ決定手段の制御を停止し、前記表示回数記憶手段を参照し、そのとき表示されているページの表示回数よりも少ない表示回数のページを次に表示させるページとして決定する代替ページ決定手段とを備えたことを特徴とする請求項２記載のデータ受信装置。
【請求項６】
ページ相互間が１方向または双方向に関連付けられた参照関係を有する複数のページからなる一群の送信データを循環的に送信し、受信装置で受信した受信データの内、１ページ分の受信データを選択して受信装置の表示画面に表示させるテレビ放送システムにおけるデータ受信装置のデータ受信方法であって、
自動モードの選択操作ステップと、
自動モードの選択操作があると、１ページ分の受信データを選択して表示画面に表示させる第１の表示制御ステップと、
表示画面に新たな受信データが表示される度に、所定の時間内に、そのとき表示されているページが参照しているページを次に表示させるページとして決定する次ページ決定ステップと、
前記所定の時間が経過すると、次ページ決定手段が決定したページの受信データを選択し、そのとき表示されている受信データに代えて選択した受信データを表示画面に表示させる第２の表示制御ステップとを有することを特徴とするデータ受信方法。
【発明の詳細な説明】
【０００１】
【発明の属する技術分野】
本発明は、テレビ放送システムなどにおいて、放送局から循環的に送信される複数のページからなる送信データを受信して表示させるデータ受信装置および当該データ受信装置のデータ受信方法に関する。
【０００２】
【従来の技術】
現在、複数のページからなるデータを循環的に送信するデータ送信装置は文字放送に使用されている。文字放送に用いられる従来のデータ送信装置は、内容の異なる複数のページからなる一群の情報を、地上波の未使用領域を利用して、１ページずつ順送りに繰り返して送信する。そして、データ受信装置では、利用者によって見たいページが選択されると、順送りに送信される複数のページの中から指定されたページを捕らえて表示する（改訂  文字放送技術ハンドブック、放送技術開発協議会編、兼六館出版株式会社、昭和６３年６月１日発行）。
【０００３】
【発明が解決しようとする課題】
しかしながら、上記従来のデータ受信装置では、見たいページは利用者がその都度選択しなければならないため、一群の情報を全て見ようとする場合には、そのページ数回分の選択操作をしなければならず、非常に煩わしいといったことがある。
【０００４】
本発明は、上記課題に鑑み、その都度選択操作することなく、一群の情報全てを見ることができるデータ受信装置およびデータ受信方法を提供することを目的とする。
【０００６】
【課題を解決するための手段】
上記課題を解決するため、本発明に係るデータ受信装置は、複数のページからなる一群の送信データを循環的に送信し、受信装置で受信した受信データの内、１ページ分の受信データを選択して受信装置の表示画面に表示させるテレビ放送システムにおけるデータ受信装置であって、受信データの各ページ毎に、表示画面に表示された回数を記憶する表示回数記憶手段と、自動モードの選択操作手段と、自動モードの選択操作があると、１ページ分の受信データを選択して表示画面に表示させる第１の表示制御手段と、表示画面に新たな受信データが表示される度に、所定の時間内に、表示回数記憶手段を参照し、そのとき表示されているページの表示回数よりも少ない表示回数のページを次に表示させるページとして決定する次ページ決定手段と、前記所定の時間が経過すると、次ページ決定手段が決定したページの受信データを選択し、そのとき表示されている受信データに代えて選択した受信データを表示画面に表示させる第２の表示制御手段とを備える。
【０００７】
また、本発明に係るデータ受信装置は、ページ相互間が１方向または双方向に関連付けられた参照関係を有する複数のページからなる一群の送信データを循環的に送信し、受信装置で受信した受信データの内、１ページ分の受信データを選択して受信装置の表示画面に表示させるテレビ放送システムにおけるデータ受信装置であって、自動モードの選択操作手段と、自動モードの選択操作があると、１ページ分の受信データを選択して表示画面に表示させる第１の表示制御手段と、表示画面に新たな受信データが表示される度に、所定の時間内に、そのとき表示されているページが参照しているページを次に表示させるページとして決定する次ページ決定手段と、前記所定の時間が経過すると、次ページ決定手段が決定したページの受信データを選択し、そのとき表示されている受信データに代えて選択した受信データを表示画面に表示させる第２の表示制御手段とを備える。
【０００８】
さらに、受信データの各ページ毎に、表示画面に表示された回数を記憶する表示回数記憶手段と、前記次ページ決定手段が次ページを決定できないときには、前記表示回数記憶手段を参照し、そのとき表示されているページの表示回数よりも少ない表示回数のページを次に表示させるページとして決定する代替ページ決定手段とを備えることとすることもできる。
【０００９】
さらに、受信データの各ページ毎に、表示画面に表示された回数を記憶する表示回数記憶手段と、自動モードの選択操作があると、時間の測定を開始する時間測定手段と、前記時間測定手段の測定した時間が所定時間となる度に、前記次ページ決定手段の制御を停止し、前記表示回数記憶手段を参照し、そのとき表示されているページの表示回数よりも少ない表示回数のページを次に表示させるページとして決定する代替ページ決定手段とを備えることとすることもできる。
【００１０】
さらに、受信データの各ページ毎に、表示画面に表示された回数を記憶する表示回数記憶手段と、自動モードの選択操作があると、受信データが表示画面に表示された回数の記録を開始する表示回数記録手段と、前記表示回数記録手段が記録した回数が所定回数となる度に、前記次ページ決定手段の制御を停止し、前記表示回数記憶手段を参照し、そのとき表示されているページの表示回数よりも少ない表示回数のページを次に表示させるページとして決定する代替ページ決定手段とを備えることとすることもできる。
上記目的を達成するため、本発明に係るデータ受信方法は、ページ相互間が１方向または双方向に関連付けられた参照関係を有する複数のページからなる一群の送信データを循環的に送信し、受信装置で受信した受信データの内、１ページ分の受信データを選択して受信装置の表示画面に表示させるテレビ放送システムにおけるデータ受信装置のデータ受信方法であって、自動モードの選択操作ステップと、自動モードの選択操作があると、１ページ分の受信データを選択して表示画面に表示させる第１の表示制御ステップと、表示画面に新たな受信データが表示される度に、所定の時間内に、そのとき表示されているページが参照しているページを次に表示させるページとして決定する次ページ決定ステップと、前記所定の時間が経過すると、次ページ決定手段が決定したページの受信データを選択し、そのとき表示されている受信データに代えて選択した受信データを表示画面に表示させる第２の表示制御ステップとを有することを特徴とする。
【００１１】
【発明の実施の形態】
（第１の実施の形態）
図１は、本発明の第１の実施の形態であるデータ通信システム１００の構成を示すブロック図である。
データ通信システム１００は、データ送信装置１１０と複数のデータ受信装置１５０とを備える。
【００１２】
データ送信装置１１０は、情報取得部１１１、送信データ生成部１１２、送信データ保持部１１３、送信データ読み出し部１１４、多重化部１１５および送信部１１６を備える。
データ受信装置１５０は、受信分離部１５１、受信データ保持部１５２、再生部１５３、表示部１５４、制御部１５５および信号受信部１５６を備える。
（データ送信装置１１０の構成の説明）
以下、図１から図１１を用いて、データ送信装置１１０の各構成について説明する。
（情報取得部１１１の構成の説明）
情報取得部１１１は、取得リスト記憶部１２１と、ＷＷＷサーバなどの外部データベースから取得した情報を保持する図示しないバッファとを備える。
【００１３】
取得リスト記憶部１２１には、取得順を示す取得順番号に対応づけて、情報取得部１１１が取得すべき情報の取得先と、取得すべき情報のファイル名とを示す取得リストが予め格納されている。
図２は、取得リスト記憶部１２１に格納されている取得リスト２００の一例を示す説明図である。なお、ファイル名の拡張子『．ｈｔｍｌ』は、そのファイル内にＨＴＭＬ文書が格納されていることを表し、拡張子『．ｇｉｆ』は、そのファイルに、ＧＩＦ形式で圧縮された画像情報が格納されていることを表している。また、拡張子『．ａｕ』は、そのファイル内にＡＵ形式の音声情報が格納されていることを表している。
【００１４】
取得リスト記憶部１２１には、例えば、情報取得部１１１がインターネットに接続されており、ＷＷＷサーバから情報を取得するよう設定されている場合には、図２に示すような取得リスト２００が格納されている。取得リスト２００には、取得順番号２０１に対応づけて、取得先名２０２として、ディレクトリ部までを含んだそのＷＷＷサーバのＵＲＬが格納されている。また、各ＷＷＷサーバが提供するホームページは、各ページが、１つのＨＴＭＬ文書と、そのＨＴＭＬ文書にファイル名が指定された画像情報ファイルおよび音声情報ファイルとで表されるので、取得リスト２００には、取得すべきファイル名２０３として、当該ページを記述したＨＴＭＬ文書のファイル名と画像情報のファイル名と音声情報ファイル名とが、ページ単位に格納されている。
【００１５】
なお、上記取得リスト記憶部１２１において、前記取得先と前記ファイル名とは、必ずしも別々に記述される必要はなく、１つのＵＲＬで表されていてもよい。また、情報取得部１１１の取得先がＷＷＷサーバでない場合には、取得先は当該外部データベースの装置アドレスで、取得すべきファイルはファイルアドレスで表される。
【００１６】
情報取得部１１１は、取得リスト記憶部１２１から、取得先のＵＲＬと取得すべき情報のファイル名とを取得順番号２０１の順に読み出して、そのＵＲＬで示されるＷＷＷサーバにアクセスし、当該ファイル名のファイルを取得する。情報取得部１１１は、取得したファイルにファイル名を付し、前記バッファに格納する。
（取得ファイルの例示説明）
以下、情報取得部１１１が取得するファイルの内容について、図３、図４、図５および図６を用いて具体的に説明する。
【００１７】
図３は、ＷＷＷホームページの第１ページの一例を記述するＨＴＭＬ文書３０１『Ｒｅｐｏｒｔ．ｈｔｍｌ』を示す説明図である。なお、ＨＴＭＬ文書３０１『Ｒｅｐｏｒｔ．ｈｔｍｌ』という表記は、ファイル名が『Ｒｅｐｏｒｔ．ｈｔｍｌ』というファイルに格納されているＨＴＭＬ文書３０１を示すものとする。
また、各ＨＴＭＬ文書において、〈（文字列）〉で表される制御コードは、タグと呼ばれ、原則として、〈（文字列）〉と〈／（文字列）〉との組で用いられる。〈〉内の文字列は、そのタグの制御内容を表している。
【００１８】
行３２０の〈ＨＴＭＬ〉と、行３２２の〈／ＨＴＭＬ〉とは、〈ＨＴＭＬ〉と〈／ＨＴＭＬ〉との間に挟まれている文字列が、１つのＨＴＭＬ文書３０１であることを示している。
行３２１の〈Ｈ１〉と〈／Ｈ１〉とは、これらの間の文字列『天気予報』が、この文書の見出しであることを示している。
【００１９】
行３１３の〈ＣＥＮＴＥＲ〉と、行３１５の〈／ＣＥＮＴＥＲ〉とは、これらの間に挟まれた文字列によって表現される文書の表示要素を、中よせで表示することを示している。
行３１４の〈ＩＭＧ  ＳＲＣ＝”Ｗｅａｔｈｅｒ．ｇｉｆ”〉は、後述の図４に示す画像情報４０１『Ｗｅａｔｈｅｒ．ｇｉｆ』が、この位置に文書の表示要素として含まれていることを表す。なお、タグ〈ＩＭＧ〉の属性である『ＳＲＣ＝』は、画像情報ファイルの指定を示し、その属性値である『”Ｗｅａｔｈｅｒ．ｇｉｆ”』は、指定されたファイルのファイル名を示している。
【００２０】
図４は、ＷＷＷホームページの第１ページに表示される画像の一例である画像情報４０１『Ｗｅａｔｈｅｒ．ｇｉｆ』を示す説明図である。
図４に示すように、画像情報ファイル『Ｗｅａｔｈｅｒ．ｇｉｆ』に格納されている画像情報４０１は、日本の各地の天気を示す概略日本地図の画像を表している。
【００２１】
ＨＴＭＬ文書３０１の行３１６と、行３１７とは、〈Ｐ〉と〈／Ｐ〉とで囲まれた文字列『明日は全国的に春めいた陽気になるでしょう』が、この文書の本文の１つのパラグラフ（段落）であることを表す。
行３１８の〈ＵＬ〉と、行３２１の〈／ＵＬ〉とは、これらの間の文字列によって表現される文書の表示要素を、番号無しの見出しによる箇条書きの形式で表示することを示している。
【００２２】
行３１９と行３２０の〈ＬＩ〉は、これ以降次の〈ＬＩ〉もしくは〈／ＵＬ〉までの文字列が、箇条書きの１つの項目となることを示している。
行３１９の〈Ａ  ＨＲＥＦ＝“Ｔｏｋｙｏ．ｈｔｍｌ“〉東京〈／Ａ〉は、文字列『東京』から、後述の図５に示すＨＴＭＬ文書５０１『Ｔｏｋｙｏ．ｈｔｍｌ』にリンクが張られていることを表している。この文字列『東京』のように、他のファイルへのリンクが張られている文字列または画像は、ホットスポットまたはアンカーポイントと呼ばれる。例えば、ブラウザによってパソコンのモニターに表示されたホットスポット『東京』がユーザのマウス操作などにより選択された場合には、文字列『東京』にリンクされたＨＴＭＬ文書５０１『Ｔｏｋｙｏ．ｈｔｍｌ』がブラウザによって読み込まれ、その表示画像が表示される。また、タグ〈Ａ〉の属性である『ＨＲＥＦ＝』は、タグ〈Ａ〉のリンク先の指定を示し、その属性値である『”Ｔｏｋｙｏ．ｈｔｍｌ”』は、そのリンク先のファイル名を示している。
【００２３】
行３２０の〈Ａ  ＨＲＥＦ＝“Ｏｓａｋａ．ｈｔｍｌ“〉大阪〈／Ａ〉は、文字列『大阪』から、後述の図６に示すＨＴＭＬ文書６０１『Ｏｓａｋａ．ｈｔｍｌ』にリンクが張られていることを表す。行３２０の文字列『大阪』も、行３１９の文字列『東京』と同様のホットスポットであり、当該文字列『大阪』が選択された場合には、文字列『大阪』にリンクされたＨＴＭＬ文書６０１『Ｏｓａｋａ．ｈｔｍｌ』の表示画像がモニターに表示される。
【００２４】
行３２１の〈Ａ  ＨＲＥＦ＝“Ｗｅａｔｈｅｒ．ａｕ“〉音声解説〈／Ａ〉は、文字列『音声解説』から、音声情報『Ｗｅａｔｈｅｒ．ａｕ』にリンクが張られていることを表す。文字列『音声解説』は、ホットスポットであり、当該文字列『音声解説』が選択された場合には、リンクされた音声情報『Ｗｅａｔｈｅｒ．ａｕ』が再生される。
【００２５】
図５は、前記ＷＷＷホームページの第２ページの一例を記述するＨＴＭＬ文書５０１『Ｔｏｋｙｏ．ｈｔｍｌ』を示す説明図である。
ＨＴＭＬ文書５０１に記述されているタグについては、すでに説明しているので、他のページへのリンクに関する説明を除き、説明を省略する。
行４１１の〈Ａ  ＨＲＥＦ＝“Ｒｅｐｏｒｔ．ｈｔｍｌ“〉戻る〈／Ａ〉は、文字列『戻る』から、図３に示したＨＴＭＬ文書３０１『Ｒｅｐｏｒｔ．ｈｔｍｌ』にリンクが張られていることを表す。
【００２６】
図６は、前記ＷＷＷホームページの第３ページの一例を記述するＨＴＭＬ文書６０１『Ｏｓａｋａ．ｈｔｍｌ』を示す説明図である。
ＨＴＭＬ文書６０１に記述されているタグについては、すでに説明しているので、他のページへのリンクに関する説明を除き、説明を省略する。
行５１１の〈Ａ  ＨＲＥＦ＝“Ｒｅｐｏｒｔ．ｈｔｍｌ“〉戻る〈／Ａ〉は、文字列『戻る』から、図３に示すＨＴＭＬ文書３０１『Ｒｅｐｏｒｔ．ｈｔｍｌ』にリンクが張られていることを表す。
【００２７】
なお、上記情報取得部１１１は、取得リスト記憶部１２１に示されている全ファイルを連続的に取得し、取得した全ファイルを前記バッファに格納するとしてもよいし、前記ページ単位にファイルを取得して前記バッファに格納し、後述の送信データ生成部１１２の当該ページに対する処理が完了する都度、次のファイルを取得するとしてもよい。
（送信データ生成部１１２の構成の説明）
送信データ生成部１１２は、データ変換テーブル記憶部１２２と、送信データ生成用の作業領域となる図示しない記憶領域とを備える。データ変換テーブル記憶部１２２は、各ＨＴＭＬタグの制御内容とそれに対応するフラグとを示すタグテーブルと、ＴＶ表示用の文字フォントを用途別に収録したフォントファイルと、ホットスポットを記述するリンク情報のデータ通信システム１００用フォーマットを示したリンク情報テーブルとを記憶している。前記作業領域は、１ファイルのＨＴＭＬ文書を保持するためのファイル記憶領域と、タグ内の〈〉で挟まれた文字列を確保するためのタグ記憶領域と、タグ以外の文字列を確保するための文字列記憶領域と、表示画像情報の生成を制御するためのフラグを立てる領域となるフラグ記憶領域とからなる。前記タグ記憶領域に書き込まれた文字列と、前記文字列記憶領域に書き込まれた文字列とは、そのタグ（フラグ）に対応した処理が完了する都度、消去される。前記フラグ記憶領域には、フラグが複数あれば、上位から順にセットされ、下位から順にリセットされる。
【００２８】
図７は、データ変換テーブル記憶部１２２に格納されているリンク情報テーブル７００の一例を示す説明図である。なお、リンク情報テーブル７００に示す『９』は、１０進数一桁の数字を表す。
リンク情報テーブル７００に示されるように、リンク情報は、インデックス情報７０１とホットスポット情報７０２とからなり、インデックス情報７０１とホットスポット情報７０２とは、それぞれ〈〉で挟まれた文字列で表される。
【００２９】
インデックス情報７０１は、インデックス情報であることを示す情報識別部『ＩＮＤＥＸ  ＝』と、４桁の１０進数で表されるファイル識別値とからなる。ファイル識別値は、このインデックス情報が属する送信データのファイルの識別番号を示す。
ホットスポット情報７０２は、ホットスポット情報であることを示す情報識別部『ＨＯＴＳＰＯＴ  』と、対応する表示画像情報によって表される表示画像中のカーソル表示位置を示すＸ−Ｙ座標『Ｘ＝９９９、Ｙ＝９９９、』と、当該Ｘ−Ｙ座標に表示されるカーソルに対応付けられている命令『ＧＯ＿ＴＯ＿ＰＡＧＥ』と、４桁の１０進数で表されるその命令の変数値とからなる。前記命令の変数値は、当該カーソルにリンクされている他の送信データのファイルの識別番号を示す。
【００３０】
また、送信データ生成部１１２は、１つのＨＴＭＬ文書に基づいて生成される一組の表示画像情報と音声情報とリンク情報とを１つの送信データファイルとして取り扱う。送信データ生成部１１２は、後述の送信データ保持部１１３内に設けられている表示画像情報記憶部１２３と音声情報記憶部１２４とリンク情報記憶部１２５とのそれぞれに、送信データの１ファイルに格納される表示画像情報と音声情報とリンク情報とを対応づけて格納するための記憶領域を設定する。以下、表示画像情報記憶部１２３内の記憶領域を表示画像情報記憶領域、音声情報記憶部１２４内の記憶領域を音声情報記憶領域、リンク情報記憶部１２５内の記憶領域をリンク情報記憶領域という。
【００３１】
さらに、送信データ生成部１１２は、同一送信データファイルの表示画像情報と音声情報とリンク情報とを格納するために設定した表示画像情報記憶領域と音声情報記憶領域とリンク情報記憶領域とのそれぞれに、送信データ読み出し用の同一識別番号を付す。また、送信データ生成部１１２は、同一送信データファイルに属する音声情報とリンク情報とを、それぞれ１つのファイルとして管理し、それらに同一識別番号を付す。前記識別番号は、例えば、取得したファイルのファイル名２０３に対応する、取得リスト２００内の取得順番号２０１で与えられる。
【００３２】
送信データ生成部１１２は、情報取得部１１１によって取得された未処理のＨＴＭＬ文書ファイルを、取得リスト２００の取得順番号２０１に従って情報取得部１１１内のバッファから取り出し、前記作業領域のファイル記憶領域に書き込むとともに、リンク情報テーブル７００のインデックス情報７０１のフォーマットに従って、インデックス情報を生成する。さらに、生成したインデックス情報を、送信データ保持部１１３のリンク情報記憶領域の先頭に格納する。
【００３３】
さらに、送信データ生成部１１２は、ＨＴＭＬ文書の先頭から順に、タグを読み込んでは読み込んだタグとタグテーブルとを照合し、そのタグの制御内容を解釈する。制御内容の解釈は、タグ開始文字『〈』に続く文字列を１文字ずつタグ終了文字『〉』が現れるまで作業領域のタグ記憶領域に書き込んでいき、原則として、タグ終了文字が現れた時点で作業領域に書き込まれている文字列、すなわち、『〈』と『〉』とに挟まれた文字列を、タグテーブルと照合することにより解釈を行う。
【００３４】
送信データ生成部１１２は、読み込んだタグが〈（『Ａ』、『ＩＭＧ』または『／で始まる文字列』以外の文字列）〉であれば、先ず、前記解釈結果を表すフラグを作業領域のフラグ記憶領域に立て、そのフラグに対応づけて、当該タグ〈〉とそれに対応するタグ〈／〉とに挟まれた文字列を、作業領域の文字列記憶領域に確保する。相対応するタグに挟まれた文字列を、文字列記憶領域に確保する方法は、タグ内の文字列と同様である。次いで、確保した文字列をフォントファイル中の文字フォントを用いて文字の画像に変換し、当該文字画像がフラグに従って配置された表示画像情報を生成する。次いで、生成した表示画像情報を、送信データ保持部１１３に設定しておいた表示画像情報記憶領域に追加する。また、前記タグ〈〉に続くものが文字列でなく、別のタグ〈（別の文字列）〉である場合には、前のタグ〈〉に対応するフラグだけをフラグ記憶領域に立てておき、次のタグ〈（別の文字列）〉に応じた処理を行う。
【００３５】
送信データ生成部１１２は、読み込んだタグが〈ＩＭＧ〉であれば、その属性である『ＳＲＣ＝』によって指定される『”ファイル名”』の画像情報ファイルを情報取得部１１１のバッファから取り出して、そのファイル名の拡張子に応じた形式で伸長し、ビットマップデータあるいはグラフィックデータなどの一定の形式で表される画像情報に変換する。例えば、指定された画像情報ファイルのファイル名の拡張子が『．ｇｉｆ』であれば、当該画像情報をＧＩＦ形式に従って伸長し、所定の形式の画像情報に変換する。変換後の画像情報に対する制御内容を示した上位のフラグがあればその制御内容に従い、なければ初期設定による表示位置にその画像が配置されるよう表示画像情報を生成する。次いで、生成した表示画像情報を、前記表示画像情報記憶領域に追加する。
【００３６】
送信データ生成部１１２は、読み込んだタグがタグ〈Ａ〉であれば、タグ〈Ａ〉の属性である『ＨＲＥＦ＝』によって指定された『”リンク先ファイル”』が、拡張子『．ａｕ』などの音声情報であるか否かをチェックする。音声情報であれば、当該音声情報を取得リスト記憶部１２１から取り出して予め定めた一定形式の音声情報に変換し、変換後の音声情報を前記音声情報記憶領域に格納する。
【００３７】
音声情報でなければ、タグ〈Ａ〉とタグ〈／Ａ〉とで挟まれた文字列から文字画像を生成し、生成した文字画像が、上位のフラグによって配置される表示位置もしくは、初期設定による表示位置からカーソルを表示するための領域を空けて表示されるよう表示画像情報を生成する。生成した表示画像情報は、送信データ保持部１１３の表示画像情報記憶領域に追加して格納する。次いで、空き領域としたカーソル表示位置のＸ−Ｙ座標を計算する。さらに、リンク情報テーブル７００のホットスポット情報７０２を参照し、計算したカーソル表示位置のＸ−Ｙ座標と、タグ〈Ａ〉の属性『ＨＲＥＦ＝』で指定された『”リンク先ファイル名”』とから、ホットスポット情報を生成する。この際に、取得リスト２００を参照し、タグ〈Ａ〉の『”リンク先ファイル名”』から、そのファイル名２０３に対応する取得順番号２０１を調べ、当該取得順番号２０１をそのファイルの識別番号としてホットスポット情報内に記述する。もし、リンク先ファイル名が取得リストに存在しない場合には、自ファイルのファイル名をリンク先ファイル名としておく。次いで、生成したホットスポット情報を、送信データ保持部１１３のリンク情報記憶領域に追加して格納する。
【００３８】
送信データ生成部１１２は、上記処理により、１つのＨＴＭＬ文書に記述されている内容について、すべての処理を終了すると、表示画像情報領域に格納されている表示画像情報中の実際には表示されない領域の一定位置に、当該表示画像情報領域に付した識別番号を画像化して書き込む。
なお、ここでは、上記識別番号を、１０進数４桁の数字で表しているが、識別番号は、何桁であってもよく、２進数であってもよいし、文字混じりの数字や記号であってもよい。図形やバーコードなどで表されていてもよい。また、ファイル名であってもよい。さらに、音声情報記憶領域に格納されている音声情報と、リンク情報記憶領域に格納されているリンク情報とには、一般のデジタルデータファイルに付すのと同様にして、対応する記憶領域に付されている識別番号を付す。
【００３９】
このような処理により、送信データ生成部１１２は、取得されたＨＴＭＬ文書３０１、図示しない音声情報、画像情報４０１、ＨＴＭＬ文書５０１およびＨＴＭＬ文書６０１から、前記ＷＷＷホームページの第１ページの送信データ８００、第２ページの送信データ９００および第３ページの送信データ１０００を生成する。
（送信データ生成部１１２によって生成される送信データの例示）
図８は、ＨＴＭＬ文書３０１と音声情報『Ｗｅａｔｈｅｒ．ａｕ』と画像情報４０１とから生成されたＷＷＷホームページの第１ページの送信データ８００を示す説明図である。図９は、ＨＴＭＬ文書５０１から生成されたＷＷＷホームページの第２ページの送信データ９００を示す説明図である。図１０は、ＨＴＭＬ文書６０１から生成されたＷＷＷホームページの第３ページの送信データ１０００を示す説明図である。
【００４０】
図８に示す送信データ８００は、ＷＷＷホームページの第１ページを表し、表示画像情報８０１および音声情報８０２と、表示画像情報８０１に関連付けられたとリンク情報８０３とからなる。図８（ａ）は、表示画像情報８０１に基づいて表示される表示画像を用いて、表示画像情報８０１の内容を表す説明図である。図８（ｂ）は、音声情報８０２を示す説明図である。図８（ｃ）は、リンク情報８０３の内容を示す説明図である。
【００４１】
表示画像情報８０１の上部に破線で示す領域は、いずれの表示画像情報にも共通の非表示領域を示している。前記非表示領域は、表示部１５４の表示画面には表示されない。このような当該非表示領域の右上隅の位置には、送信データ生成部１１２によって画像として表された識別番号『０００１』が書き込まれている。また、表示される領域では、もとのファイルでは文字コードで表されていた文字列が画像化されて表され、画像情報として表されていた画像とともに、全体で一つの画像として１画面の表示画像を表している。
【００４２】
音声情報８０２は、ＨＴＭＬ文書３０１中のホットスポットである文字列『音声解説』にリンクされていた音声情報である。図８（ｂ）に示すように、音声情報８０２を格納しているファイルには、識別番号『０００１』が付されている。音声情報８０２と同様、図８（ｃ）に示すように、リンク情報８０３を格納しているファイルには、識別番号『０００１』が付されている。リンク情報８０３は、制御用の情報であるので表示されない。リンク情報８０３中の行８１１は、すでに説明したインデックス情報で、送信データ８００のファイルの識別番号が『０００１』であることを表す。
【００４３】
行８１２は、表示画像情報８０１上の、座標値（１００、６００）で表される位置に、命令『ＧＯ＿ＴＯ＿ＰＡＧＥ（０００２）』が関連付けられており、この位置にデータ受信装置１５０側で保持しているカーソルの画像が表示されるべきことを示している。命令『ＧＯ＿ＴＯ＿ＰＡＧＥ（０００２）』は、『０００２』という識別番号の送信データ９００で表されるページを表示せよ、という命令を表す。
【００４４】
行８１３は、表示画像情報８０１上の、座標値（１００、７００）で表される位置に、命令『ＧＯ＿ＴＯ＿ＰＡＧＥ（０００３）』が関連付けられており、この位置にカーソルの画像が表示されるべきことを示している。命令『ＧＯ＿ＴＯ＿ＰＡＧＥ（０００３）』は、『０００３』という識別番号の送信データ１０００で表されるページを表示せよ、という命令を表す。
【００４５】
図９に示す送信データ９００は、ＷＷＷホームページの第２ページを表し、表示画像情報９０１と、表示画像情報９０１に関連付けられたリンク情報９０２とからなる。図９（ａ）は、表示画像情報９０１に基づいて表示される表示画像を用いて、表示画像情報９０１の内容を表す説明図である。図９（ｂ）は、リンク情報９０２の内容を示す説明図である。
【００４６】
表示画像情報９０１は、表示画像情報８０１と同様、破線で示す非表示領域の右上隅にその識別番号『０００２』が書き込まれている。
また、図９（ｂ）に示すように、リンク情報９０２を格納しているファイルには、識別番号『０００２』が付されている。
リンク情報９０２中の行９１１は、送信データ９００のファイルの識別番号が『０００２』であることを表す。
【００４７】
行９１２は、表示画像情報９０１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
【００４８】
図１０に示す送信データ１０００は、ＷＷＷホームページの第３ページを表し、表示画像情報１００１と、表示画像情報１００１に関連付けられたリンク情報１００２とからなる。図１０（ａ）は、表示画像情報１００１に基づいて表示される表示画像を用いて、表示画像情報１００１の内容を表す説明図である。図１０（ｂ）は、リンク情報１００２の内容を示す説明図である。
【００４９】
表示画像情報１００１の非表示領域の右上隅には、その識別番号である『０００３』が画像として書き込まれている。
また、図１０（ｂ）に示すように、リンク情報１００２を格納しているファイルには、識別番号『０００３』が付されている。
リンク情報１００２中の行１０１１は、送信データ１０００の識別番号が『０００３』であることを表す。
【００５０】
行１０１２は、表示画像情報１００１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
（情報取得部１１１、送信データ生成部１１２の処理の例示説明）
以下、図３、図４、図５および図６に例示したファイルを取得し、それを用いて、図８、図９および図１０の送信データを生成するまでの情報取得部１１１および送信データ生成部１１２の処理について具体的に説明する。
（情報取得部１１１の処理）
情報取得部１１１は、取得リスト記憶部１２１に示されるインターネット上のＷＷＷサーバに接続を要求し、当該ＷＷＷサーバから、取得すべきＨＴＭＬ文書３０１『Ｒｅｐｏｒｔ．ｈｔｍｌ』を取得する。次いで、取得したＨＴＭＬ文書３０１にファイル名『Ｒｅｐｏｒｔ．ｈｔｍｌ』を付し、バッファに格納する。同様にして、ＷＷＷサーバから、圧縮画像情報４０１、ＨＴＭＬ文書５０１およびＨＴＭＬ文書６０１を取得する。
（送信データ生成部１１２の処理）
送信データ生成部１１２は、送信データ保持部１１３内に、表示画像情報８０１用記憶領域と、音声情報８０２用記憶領域と、リンク情報８０３用記憶領域とからなる送信データ８００格納用の記憶領域を設定し、設定した記憶領域に、送信データ８００読み出し用の識別番号『０００１』を付与する。情報取得部１１１の前記バッファから未処理のＨＴＭＬ文書３０１を取り出し、取り出したＨＴＭＬ文書３０１を作業領域のファイル記憶領域に書き込む。
【００５１】
送信データ生成部１１２は、ＨＴＭＬ文書３０１に付されたファイル名『Ｒｅｐｏｒｔ．ｈｔｍｌ』から、ＷＷＷホームページの第１ページを表す送信データ８００の行８１１に示したインデックス情報『〈ＩＮＤＥＸ  ＝０００１〉』を生成し、送信データ保持部１１３内のリンク情報８０３用記憶領域の先頭に格納する。
【００５２】
送信データ生成部１１２は、ＨＴＭＬ文書３０１から行３１１のタグ〈ＨＴＭＬ〉を読み込む。読み込んだタグ〈ＨＴＭＬ〉内の文字列『ＨＴＭＬ』を、作業領域内のタグ記憶領域に確保し、データ変換テーブル記憶部１２２内のタグテーブルを参照して解釈し、ＨＴＭＬ文書３０１の開始行であることを識別する。この後、タグ記憶領域の文字列『ＨＴＭＬ』を消去する。
【００５３】
次いで、送信データ生成部１１２は、行３１２のタグ〈Ｈ１〉を読み込み、タグ〈Ｈ１〉をタグテーブルを参照して解釈し、作業領域内のフラグ記憶領域に見出しフラグを立てる。見出しフラグは、タグ〈Ｈ１〉に続く文字列が見出しであり、見出し用フォントを用いて表示されるべきことを示している。続いて、タグ〈／Ｈ１〉が現れるまで、タグ〈Ｈ１〉に続く文字列を１文字ずつ前記文字列記憶領域に書き込みながら、結果として文字列『天気予報』を読み込み、タグ〈／Ｈ１〉が現れると、文字列記憶領域内の文字列『天気予報』を、あらかじめ定められた見出し用のフォントで表示画像情報化する。生成した表示画像情報を、送信データ保持部１１３に設定してある表示画像記憶領域に追加する。前記作業領域に立てた見出しフラグをリセットし、文字列記憶領域に確保した文字列『天気予報』とタグ記憶領域に確保した文字列『Ｈ１』を消去する。
【００５４】
送信データ生成部１１２は、行３１３のタグ〈ＣＥＮＴＥＲ〉を読み込み、作業領域に中よせフラグを立てる。中よせフラグは、当該フラグに続いて読み込まれる文字列を中よせで表示すべきことを示している。次に、タグ〈ＣＥＮＴＥＲ〉に続く文字列を読み込もうとすると文字列がないので、行３１４の読み込みに移る。
【００５５】
送信データ生成部１１２は、行３１４のタグ〈ＩＭＧ  ＳＲＣ＝“Ｗｅａｔｈｅｒ．ｇｉｆ“〉を読み込み、読み込んだタグ〈ＩＭＧ  ＳＲＣ＝“Ｗｅａｔｈｅｒ．ｇｉｆ“〉を、タグテーブルを参照して解釈する。送信データ生成部１１２は、ファイル名“Ｗｅａｔｈｅｒ．ｇｉｆ“で表される画像情報４０１のファイルが情報取得部１１１のバッファに存在するか否かを調べ、存在するので、これを読み出す。次いで、読み出したファイルに圧縮されて格納されている画像情報４０１を、ＧＩＦ伸長方式に従って例えばビットマップデータに変換する。
【００５６】
送信データ生成部１１２は、行３１５のタグ〈／ＣＥＮＴＥＲ〉を読み込み、ビットマップデータに変換された画像情報４０１を、作業領域に立てた中よせフラグに従って配置する。このように生成された表示画像情報を、送信データ保持部１１３内の表示画像記憶領域に追加する。次いで、作業領域の中よせフラグをリセットする。
【００５７】
送信データ生成部１１２は、行３１６のタグ〈Ｐ〉を読み込み、段落フラグを立てる。段落フラグは、当該フラグに続くタグ〈／Ｐ〉までの文字列を、その直後に空白行が挿入される一つの段落として表示すべきことを示している。行３１２の『天気予報』と同様にして、文字列『明日は全国的に春めいた陽気になるでしょう』を読み込み、作業領域の文字列記憶領域に確保する。続いて、タグ〈／Ｐ〉を読み込むと、保持している文字列『明日は全国的に春めいた陽気になるでしょう』を、フォントファイルに記憶している段落用フォントで画像化し、表示画像情報として送信データ保持部１１３内の表示画像情報８０１用記憶領域に追加する。さらに、作業領域をリセットする。
【００５８】
同様に、送信データ生成部１１２は、行３１８のタグ〈ＵＬ〉を読み込み、解釈して、作業領域に箇条書きフラグを立てる。箇条書きフラグは、当該フラグの後、１項目の文字列と解釈される文字列を、番号なしの項目として箇条書き表示すべきことを示している。
送信データ生成部１１２は、行３１９のタグ〈ＬＩ〉を読み込み、タグテーブルを参照して、１項目の先頭であることを解釈し、フラグ記憶領域に項目フラグを立てる。項目フラグは、タグ〈ＬＩ〉またはタグ〈／ＵＬ〉を読み込んだときに、表示画像の表示位置を改行するべきことを示している。
【００５９】
送信データ生成部１１２は、タグ〈ＬＩ〉に続いて、タグ〈Ａ  ＨＲＥＦ＝“Ｔｏｋｙｏ．ｈｔｍｌ“〉を読み込み、タグ記憶領域に書き込む。送信データ生成部１１２は、タグテーブルに従ってタグ〈Ａ  ＨＲＥＦ＝“Ｔｏｋｙｏ．ｈｔｍｌ“〉を解釈し、前記フラグ記憶領域にさらに、リンクフラグを立てる。
リンクフラグは、タグ〈Ａ〉内の属性値の拡張子から、リンク先ファイルが音声情報か否かを調べ、音声情報であればその音声情報を所定の形式に変換し、変換後の音声情報を音声情報記憶領域に格納して、当該タグ〈Ａ〉に関する処理を終了するべきことを示している。また、リンクフラグは、リンク先ファイルが音声情報でなければ、タグ〈Ａ〉とタグ〈／Ａ〉とに挟まれた、タグ〈Ａ〉によってリンクが張られている文字列の直前に、カーソル表示用領域として２文字分の空白部分を設けて文字列を画像化し、当該文字列の表示画像情報を生成するとともに、さらに、ホットスポット情報７０２のフォーマットに従って、ホットスポット情報を生成すべきことを示している。
【００６０】
送信データ生成部１１２は、タグ〈Ａ  ＨＲＥＦ＝“Ｔｏｋｙｏ．ｈｔｍｌ“〉に続く文字列『東京』をタグ〈／Ａ〉が現れるまで読み込み、作業領域の文字列記憶領域に書きこむ。送信データ生成部１１２は、タグ〈／Ａ〉を読み込むと、文字列『東京』の直前に、２文字分の空白部分を設けて文字列『東京』を画像化し、箇条書きフラグとに従って文字列『東京』を配置し、表示画像情報を生成して送信データ保持部１１３の表示画像情報８０１用記憶領域に追加する。次いで、送信データ生成部１１２は、カーソルの表示位置の座標を計算する。さらに、計算した座標値（１００、６００）と、作業領域のタグ記憶領域に記憶している属性値『Ｔｏｋｙｏ．ｈｔｍｌ』とから、図８の行８１２に示したホットスポット情報を生成する。次いで、生成したホットスポット情報を、送信データ保持部１１３内のリンク情報８０３用記憶領域に追加する。その後、作業領域のタグ記憶領域に書き込まれているタグ内文字列『Ａ  ＨＲＥＦ＝“Ｔｏｋｙｏ．ｈｔｍｌ“』と、文字列記憶領域に書き込まれている文字列『東京』とを消去し、リンクフラグをリセットする。
【００６１】
送信データ生成部１１２は、行３２０のタグ〈ＬＩ〉を読み込んだ後、項目フラグがあるので表示画像の表示位置を改行し、行３１９の処理と同様にして、文字列『大阪』の表示画像情報を生成するとともに、図８の行８１３に示したホットスポット情報を生成する。生成した表示画像情報は送信データ保持部１１３内の表示画像情報８０１用記憶領域に追加し、ホットスポット情報は送信データ保持部１１３内のリンク情報８０３用記憶領域に追加する。この後、タグ内文字列『Ａ  ＨＲＥＦ＝“Ｏｓａｋａ．ｈｔｍｌ“』と文字列『大阪』とを消去し、リンクフラグをリセットする。
【００６２】
次いで、送信データ生成部１１２は、行３２１のタグ〈ＬＩ〉を読み込んだ後、項目フラグがあるので表示画像の表示位置を改行し、タグ〈Ａ  ＨＲＥＦ＝“Ｗｅａｔｈｅｒ．ａｕ“〉に従って、リンクフラグを立てる。リンクフラグに従って属性値の拡張子を調べると、リンク先ファイルがＡＵ形式の音声情報であるので、ＡＵ形式を予め定められた一定の形式に変換して、変換後の音声情報を音声情報８０２用記憶領域に格納する。
【００６３】
次いで、行３２２のタグ〈／ＵＬ〉を読み込み、箇条書きの終了を解釈すると、箇条書きフラグと項目フラグとをリセットする。
さらに、行３２３のタグ〈／ＨＴＭＬ〉を読み込み、ＨＴＭＬ文書３０１の終了であることを解釈すると、送信データ８００の生成処理を完了する。
この後、送信データ生成部１１２は、未処理のＨＴＭＬ文書５０１があることを調べ、送信データ保持部１１３内に、表示画像情報９０１用記憶領域と、リンク情報９０２用記憶領域とからなる送信データ９００格納用の記憶領域を設定し、設定した両記憶領域に、送信データ９００読み出し用の識別番号『０００２』を付与する。情報取得部１１１の前記バッファから未処理のＨＴＭＬ文書５０１を取り出し、取り出したＨＴＭＬ文書５０１を作業領域に書き込む。
【００６４】
送信データ生成部１１２は、ＨＴＭＬ文書５０１に付されたファイル名『Ｔｏｋｙｏ．ｈｔｍｌ』から、ＷＷＷホームページの第２ページを表す送信データ９００の行９１１に示したインデックス情報『〈ＩＮＤＥＸ  ＝０００２〉』を生成し、送信データ保持部１１３のリンク情報９０２用記憶領域の先頭に格納する。以下、ＨＴＭＬ文書３０１と画像情報４０１とから送信データ８００を生成したのと同様にして、ＨＴＭＬ文書５０１から送信データ９００を、ＨＴＭＬ文書６０１から送信データ１０００を生成することができるので、以降の説明を省略する。
（送信データ保持部１１３、送信データ読み出し部１１４、多重化部１１５、送信部１１６の構成の説明）
送信データ保持部１１３は、同時読み出しが可能な、表示画像情報記憶部１２３と音声情報記憶部１２４とリンク情報記憶部１２５とを備える。
【００６５】
表示画像情報記憶部１２３は、例えば、ＲＡＭやハードディスク装置などによって実現され、送信データ生成部１１２によって設定された各表示画像情報記憶領域に、送信データ生成部１１２によって生成された表示画像情報の１ファイル分を保持する。
音声情報記憶部１２４は、ＲＡＭやハードディスク装置などによって実現され、送信データ生成部１１２によって設定された各音声情報記憶領域に、送信データ生成部１１２によって格納された１ファイル分の音声情報を保持する。
【００６６】
リンク情報記憶部１２５は、ＲＡＭやハードディスク装置などによって実現され、送信データ生成部１１２によって設定された各リンク情報記憶領域に、送信データ生成部１１２によって生成されたリンク情報の１ファイル分を保持する。送信データ読み出し部１１４は、送信データ保持部１１３内に設定された各記憶領域から、送信データのファイルを識別番号の順に、同一送信データファイル内の表示画像情報と音声情報とリンク情報とを同時に読み出し、それぞれを多重化部１１５に出力する。また、末尾の識別番号に対応する送信データのファイルを読み出した後、当該識別番号が『０００１』の送信データに戻って、識別番号順に送信データを読み出す。すなわち、送信データ読み出し部１１４は、送信データ保持部１１３内に格納されている送信データを、識別番号の順に巡回して読み出し、多重化部１１５に出力する。
【００６７】
多重化部１１５は、送信データ読み出し部１１４によって読み出された表示画像情報（音声情報を含む）とリンク情報とを多重化し、送信部１１６に出力する。多重化の方法は、例えば、従来のＴＶ放送用文字多重化技術を用いる。この場合、表示画像情報と音声情報とは、画像と音声とからなる従来の放送番組と同様に、また、リンク情報は、放送番組に多重化される一般の文字情報と同様に多重化する。
【００６８】
送信部１１６は、多重化部１１５によって多重化された送信データを順次、ＴＶ放送用地上波で送信する。
（送信データの送信方法の説明）
図１１は、送信部１１６による送信データの送信方法を示す説明図である。なお、図１１では、第１ページから第ｎ（ｎは自然数）ページまでの送信データが送信データ生成部１１２によって生成された場合について示している。また、図１１は、同一識別番号を有する表示画像情報と音声情報との組を、ＴＶの通常の放送番組に対応づけた１送信単位として表し、１つの識別番号を有するリンク情報を、前記放送番組に多重化される一般の文字情報に対応づけた１送信単位として表している。
【００６９】
図１１に示すように、同一送信データファイルに格納されている表示画像情報、音声情報、リンク情報には同一の識別番号が付されて対応付けられている上に、ここではさらに、時間的にも対応付けられて送信される。そして、送信データ保持部１１３に保持されている第１ページから第ｎページまでの送信データは、識別番号の順に繰り返し送信される。
【００７０】
なお、ここでは、送信データ読み出し部１１４が、同一送信データファイルに格納される表示画像情報と音声情報とリンク情報とを、表示画像情報記憶部１２３と音声情報記憶部１２４とリンク情報記憶部１２５とから同時に読み出し、それによって、表示画像情報と音声情報とリンク情報とを、識別番号と送信タイミングとの両方で対応付けて送信するとしたが、表示画像情報（音声情報を含む）とリンク情報とは、必ずしも送信タイミングまで合わせて送信される必要はない。例えば、送信データ読み出し部１１４を、第１読み出し部と第２読み出し部との２つの構成要素から構成し、第１読み出し部は表示画像情報記憶部１２３内と音声情報記憶部１２４とに生成されている表示画像情報と音声情報との組を連続的に読み出して多重化部１１５に出力し、第２読み出し部はリンク情報記憶部１２５内に生成されているリンク情報だけを連続的に読み出して多重化部１１５に出力する、としてもよい。このようにすると、同一送信データファイルに格納されている表示画像情報とリンク情報とであっても、それらが送信部１１６から送信されるタイミングは、必ずしも一致するとは限らないが、表示画像情報とリンク情報とにはそれぞれ識別番号が付されているので、その識別番号によってデータ受信装置１５０側で対応する表示画像情報とリンク情報とを取り込むことができる。
【００７１】
また、多重化部１１５が、送信データ生成部１１２によって生成された表示画像情報（音声情報を含む）とリンク情報とを多重化し、送信部１１６が、多重化された送信データをＴＶ放送用地上波で送信するとしたが、表示画像情報とリンク情報とは、必ずしも多重化されて送信される必要はなく、例えば、表示画像情報と音声情報とをＴＶ放送用地上波あるいは衛星デジタル放送などで送信し、リンク情報は電話回線とモデムなどを利用して送信するようにしてもよい。また、複数チャネルを用いて送信するようにしてもよい。
【００７２】
さらに、データ送信方法として衛星デジタル放送を利用する場合には、例えば、ＭＰＥＧ２ビデオ規格、システム規格に基づく圧縮符号化技術および多重化技術を用い、表示画像情報をＩピクチャとし、音声情報およびリンク情報をプライベート情報として送信するようにしてもよい。このように、表示画像情報および音声情報とリンク情報とを、デジタルデータとして送信することができる場合には、上記のように表示画像情報中の非表示領域に画像化された識別番号を書き込んでおく必要はなく、表示画像情報や音声情報も、リンク情報と同様に、単に識別番号を付して送信することができる。なお、ＭＰＥＧ２規格については、『最新ＭＰＥＧ教科書』（株式会社アスキー出版局発売）に詳しく記述されている。
（データ送信装置１１０全体の概略的処理手順）
以下、図１２から図１４を用いて、データ送信装置１１０の処理手順について具体的に説明する。
【００７３】
図１２は、データ送信装置１１０全体の概略的処理手順を示すフローチャートである。
情報取得部１１１は、外部データベースから所定の情報を取得し、内部のバッファに格納する（ステップＳ１１０１）。
送信データ生成部１１２は、情報取得部１１１が取得した情報を解釈して、表示画像情報と、音声情報と、リンク情報とを生成し、送信データ保持部１１３に格納する（ステップＳ１１０２）。
【００７４】
送信データ読み出し部１１４が、送信データ保持部１１３内の送信データを、識別番号順に巡回して読み出す（ステップＳ１１０３）。
多重化部１１５が、読み出された表示画像情報（音声情報を含む）とリンク情報とを多重化し、送信部１１６が、多重化された送信データをＴＶ放送用地上波を用いて送信する（ステップＳ１１０４）。
（情報取得部１１１の処理手順）
図１３は、情報取得部１１１による情報取得処理の手順の一例を示すフローチャートである。
【００７５】
情報取得部１１１は、取得リスト記憶部１２１内の取得情報リストを参照し、まだ取得されていない情報が有るか否かをチェックする（ステップＳ１２０１）。存在しなければ情報取得処理を終了する。存在すれば、まだ取得していない情報の取得先アドレス（ＵＲＬ）を１つ取り出す（ステップＳ１２０２）。
取り出したアドレスをもとに外部データベースに接続を要求し（ステップＳ１２０３）、接続が成功したかどうかを確認する（ステップＳ１２０４）。失敗の場合、ステップＳ１２０３へ戻る（ステップＳ１２０４）。
【００７６】
接続が成功したら、取得情報リストからまだ取得していない情報のファイル名を読み出し、当該外部データベースから目的のファイルを取得して内部のバッファに記憶する（ステップＳ１２０５）。ステップＳ１２０１へ戻る。
（送信データ生成部１１２の処理手順）
図１４は、送信データ生成部１１２による送信データ生成処理の手順の一例を示すフローチャートである。
【００７７】
送信データ生成部１１２は、情報取得部１１１内のバッファを参照し、未処理のＨＴＭＬ文書があるか否かをチェックする（ステップＳ１３０１）。なければ表示画像生成処理を終了する。あれば、送信データ格納用の記憶領域を送信データ保持部１１３内に設定し、設定した記憶領域に識別番号を付すとともに、未処理のＨＴＭＬ文書を前記バッファから１つ取り出す（ステップＳ１３０２）。
【００７８】
取り出したＨＴＭＬ文書のファイル名から、送信データのファイル名を示すインデックス情報を作成し、送信データ保持部１１３に設定したリンク情報記憶領域に追加する（ステップＳ１３０３）。
取り出したＨＴＭＬ文書から１文字読み込み、文字列記憶領域に書きこむ（ステップＳ１３０４）。
【００７９】
読み込んだ文字がタグ開始文字『〈』か否かをチェックする（ステップＳ１３０５）。タグ開始文字の場合、ステップＳ１３０７へ移る。タグ開始文字でない場合、読み込んだ文字を作業領域内の文字列記憶領域に追加して書き込み、ステップＳ１３０４へ戻る（ステップＳ１３０６）。
次の文字を１文字読み込む（ステップＳ１３０７）。タグ終了文字『〉』か否かをチェックする（ステップＳ１３０８）。タグ終了文字の場合、ステップＳ１３１０へ移る。タグ終了文字でない場合、読み込んだ文字を作業領域内のタグ記憶領域に追加して書き込み、ステップＳ１３０７に戻る（ステップＳ１３０９）。
【００８０】
タグ記憶領域内の文字列をタグテーブルと照合し、『／』で始まる文字列か否かをチェックする（ステップＳ１３１０）。『／』で始まる文字列の場合、読み込んだタグが〈／ＨＴＭＬ〉タグか否かをチェックする（ステップＳ１３１１）。〈／ＨＴＭＬ〉タグの場合、作業領域をすべてリセットしてステップＳ１３０１に戻る。〈／ＨＴＭＬ〉タグでない場合、そのタグに対応してフラグ記憶領域にセットされている最下位フラグに応じた処理を行い、作業領域内の対応する記憶領域をリセットして（ステップＳ１３１２）、ステップＳ１３０４に戻る。
【００８１】
ステップＳ１３１０において、『／』で始まる文字列でない場合、読み込んだタグが〈ＩＭＧ〉タグか否かをチェックする（ステップＳ１３１３）。〈ＩＭＧ〉タグの場合は、〈ＩＭＧ〉タグの属性値で指定されているファイル名の画像情報ファイルを、情報取得部１１１のバッファから取り出す（ステップＳ１３１４）。取り出した画像情報を、ＧＩＦ伸長方式に従って、ビットマップデータで表される画像情報に変換し、ステップＳ１３０４に戻る（ステップＳ１３１５）。
【００８２】
読み込んだタグが〈ＩＭＧ〉タグでない場合、タグ記憶領域内の文字列をタグテーブルと照合し、そのタグに対応したフラグをフラグ記憶領域に立て、あるいはそのタグに対応した処理を行い（ステップＳ１３１６）、ステップＳ１３０４に戻る。
なお、ＨＴＭＬ文書では、多種のタグが用いられており、それらのタグに対応する処理は既存のブラウザと同様にして処理することができる。従って、以下では、データ通信システム１００専用のフォーマットで生成されるリンク情報の生成に関係した、〈／Ａ〉タグに対する処理についてのみ、ステップＳ１３１２における処理の一例として説明する。
【００８３】
図１５は、図１４のステップＳ１３１２における処理手順の一部具体例を示すフローチャートである。
〈／Ａ〉タグか否かをチェックする（ステップＳ１４０１）。〈／Ａ〉タグでない場合、ステップＳ１４０８に移る。
〈／Ａ〉タグの場合、属性値で示されるリンク先ファイルが音声情報ファイルか否かをチェックする（ステップＳ１４０２）。音声情報ファイルの場合、ステップＳ１４０７に移る。
【００８４】
音声情報ファイルでなければ、カーソル図形の表示領域をあけて文字列記憶領域に確保された文字列の表示画像情報を生成し、送信データ保持部１１３内の表示画像情報記憶領域に追加する（ステップＳ１４０３）。
カーソル図形の表示位置を示すＸ−Ｙ座標を計算する（ステップＳ１４０４）。
【００８５】
計算したＸ−Ｙ座標と、タグ記憶領域に確保した属性値とから、ホットスポット情報を生成し、送信データ保持部１１３のリンク情報記憶領域に追加して格納する（ステップＳ１４０５）。
作業領域内のリンクフラグをリセットし、タグ記憶領域と文字列記憶領域内の文字列を消去する（ステップＳ１４０６）。
【００８６】
音声情報ファイルを取り出し、ファイル内の音声情報を予め定められた一定の形式に変換して音声情報記憶領域に格納する（ステップＳ１４０７）。
読み込んだタグに対応した処理を行う（ステップＳ１４０８）。
（データ受信装置１５０の構成の説明）
以下、図１６から図２０を用いて、データ受信装置１５０の各構成について説明する。
（受信分離部１５１の構成）
受信分離部１５１は、送信データに付されている識別番号を読み取るための読み取りバッファ１６１を備える。読み取りバッファ１６１は、１ファイル分の表示画像情報（音声情報を含む）と、１ファイル分のリンク情報とを、それぞれに一時保持するための記憶領域を有する。
【００８７】
受信分離部１５１は、受信した送信データから表示画像情報（音声情報を含む）とリンク情報とを分離し、分離した１ファイル分の表示画像情報（音声情報を含む）と、１ファイル分のリンク情報とを、それぞれに対応する読み取りバッファ１６１内の記憶領域に格納する。前記記憶領域に格納されている表示画像情報については、その表示画像情報の非表示領域内の一定位置に書き込まれている画像を文字認識することによりその識別番号を読み取る。前記記憶領域に格納されているリンク情報については、一般的なデジタルデータのファイルに付されている識別番号を読み取るのと同様にして読み取る。読み取った識別番号が、制御部１５５に指示された識別番号であれば、読み取りバッファ１６１に保持しているその表示画像情報（音声情報を含む）またはそのリンク情報を、受信データ保持部１５２内の対応する記憶領域に格納する。読み取った識別番号が、制御部１５５に指示された識別番号でなければ、読み取りバッファ１６１に保持しているその表示画像情報（音声情報を含む）またはそのリンク情報を廃棄し、制御部１５５に指示された識別番号を読み取るまで、新たな表示画像情報（音声情報を含む）とリンク情報とを読み取りバッファ１６１に取り込み、上記処理を繰り返す。
（受信データ保持部１５２、再生部１５３、表示部１５４の構成）
受信データ保持部１５２は、受信分離部１５１によって分離された表示画像情報（音声情報を含む）とリンク情報とを識別番号により対応づけて格納する。表示画像情報を記憶するための領域は、例えば、１画面の静止画像を格納するためのＲＡＭやハードディスク装置などにより実現される。
【００８８】
再生部１５３は、制御部１５５の指示に従って、受信データ保持部１５２内に格納されている表示画像情報と、制御部１５５から入力される後述の図形情報とを再生し、表示部１５４に出力する。また、表示画像情報の再生と同期して、表示画像情報とともに格納されている音声情報を再生し、音声出力部１５７に出力する。
【００８９】
表示部１５４は、ＮＴＳＣ方式などに従って画像を表示するＴＶモニタなどで実現され、再生部１５３からの入力に従って、表示画像とカーソル図形とを画面に表示する。
（制御部１５５の構成）
制御部１５５は、まず、変数値を記憶するレジスタに初期値を設定し、その初期値で示されるページに対応した、例えば識別番号『０００１』の表示画像情報（音声情報を含む）とリンク情報とを取り込むよう受信分離部１５１に指示する。
【００９０】
制御部１５５は、受信データ保持部１５２に新たな表示画像情報（音声情報を含む）が格納される都度、その表示画像情報（音声情報を含む）の再生を再生部１５３に指示し、受信データ保持部１５２に新たなリンク情報が格納される都度、そのリンク情報を解釈して、各カーソル表示位置に後述のカーソル図形を対応づけたカーソル図形対応表を作成する。なお、前記カーソル図形は、制御部１５５が内部に保持している図形情報によって表される。さらに、制御部１５５は、カーソル図形を表す図形情報と、その表示位置とを再生部１５３に出力して、その図形情報の再生を指示する。
【００９１】
図１６は、制御部１５５が、カーソル図形の表示位置を制御するために作成するカーソル図形対応表の一例を示す説明図である。
カーソル図形対応表は、受信データ保持部１５２に保持されているリンク情報のホットスポット情報で示される各カーソル表示位置と、その表示位置に表示されるべきカーソル図形のカーソル番号との対応を示す。制御部１５５は、例えば、リンク情報中の各カーソル表示位置に対し、Ｙ座標が小さい順に、次いでＸ座標が小さい順に、カーソル番号を付し、カーソル図形対応表の当該カーソル番号に対応する項目にその表示位置を書き込む。
【００９２】
図１７は、制御部１５５が保持している図形情報の一例を示す説明図である。制御部１５５は、図１７に示すように、各カーソル番号に対応づけて、そのカーソルが選択されたときのカーソル図形と、選択されていないときのカーソル図形とを表した図形情報を保持している。
さらに、制御部１５５は、信号受信部１５６からの割込みに応じ、信号受信部１５６の保持する入力信号の種別を解釈して、対応するカーソル図形の図形情報を選び、再生部１５３に出力する。次いで、選択が確定されたカーソルに従って、受信分離部１５１の送信データの取り込みを制御する。
（受信データの表示制御処理）
なお、以下では、受信分離部１５１によって受信データ保持部１５２内の対応する記憶領域に格納された、同一識別番号を有する表示画像情報（音声情報を含む）とリンク情報との組を受信データということにし、制御部１５５による受信データの表示制御処理について、さらに具体的に説明する。
【００９３】
制御部１５５は、表示すべき受信データの識別番号を表す変数Ｐ−Ｉｎｄｅｘをあらかじめ定められた値、例えば『１』に設定する。次に、選択状態のカーソル番号を表す変数Ｃｕｒ−Ｐｏｓを、あらかじめ定められた値、例えば『１』に設定する。制御部１５５は、変数Ｐ−Ｉｎｄｅｘの示す送信データの取り込みを受信分離部１５１に指示する。さらに、その指示に従って取り込まれ、受信データ保持部１５２に格納された受信データのリンク情報を解釈して、変数Ｃｕｒ−Ｐｏｓの示すカーソルを選択状態とした各カーソルの図形情報を、対応する表示位置とともに再生部１５３に出力する。次いで、信号受信部１５６からの割込みが発生すると、信号受信部１５６に保持されている入力信号を解釈する。まず、入力が『上』か否かをチェックし、『上』であれば変数Ｃｕｒ−Ｐｏｓの値を１増やす。入力が『下』か否かをチェックし、『下』であれば変数Ｃｕｒ−Ｐｏｓの値を１減らす。入力が『確定』か否かをチェックし、『確定』であれば変数Ｃｕｒ−Ｐｏｓで示されるカーソル番号からその表示位置の座標を求め、その座標からホットスポット情報に記述されたリンク先のファイルの識別番号を得る。さらに、その識別番号を変数Ｐ−Ｉｎｄｅｘの値に設定し、変数Ｐ−Ｉｎｄｅｘの示す送信データの取り込みを受信分離部１５１に指示する。
（信号受信部１５６、音声出力部１５７の構成）
信号受信部１５６は、外部の図示しないリモコン等からの入力信号を受信すると、入力信号受信による制御部１５５への割込みを発生し、受信した入力信号を保持する。
【００９４】
音声出力部１５７は、スピーカなどによって実現され、再生された音声情報を音声として出力する。
（表示画像の例示）
図１８は、図８の送信データ８００に基づいて表示部１５４に表示される初期画面の表示画像１８００を示す説明図である。
【００９５】
図１８に示すように、表示画像１８００には、リンク情報８０３の行８１２に示したホットスポット情報に従い、表示画像情報８０１によって表される表示画像中の表示位置（１００、６００）に、カーソル番号『１』に対応したカーソル図形１８０１が表示されている。なお、制御部１５５の変数Ｃｕｒ−Ｐｏｓの初期値により、カーソル図形１８０１として、選択状態を示す図形情報が選ばれている。
【００９６】
同様に、リンク情報８０３の行８１３に示したホットスポット情報に従い、表示位置（１００、７００）に、カーソル番号『２』に対応したカーソル図形１８０２が表示されている。なお、カーソル番号『２』は、変数Ｃｕｒ−Ｐｏｓの初期値ではないので、カーソル図形１８０２として非選択状態を示す図形情報が選ばれている。
【００９７】
なお、送信データ８００には、表示画像情報８０１とともに音声情報８０２が含まれているので、表示部１５４に表示画像１８００が表示されるとともに、音声による『音声解説』が音声出力部１５７から出力される。
図１９は、図９の送信データ９００に基づいて表示部１５４に表示される初期画面の表示画像１９００を示す説明図である。
【００９８】
図１８に示した表示画像１８００と同様、表示画像１９００には、リンク情報９０２の行９１２に示したホットスポット情報に従い、表示画像情報９０１によって表される表示画像中の表示位置（０５０、４００）に、カーソル番号『１』に対応したカーソル図形１９０１が表示される。また、カーソル図形１９０１として、選択状態を示す図形情報が選ばれる。
【００９９】
図２０は、図１０の送信データ１０００に基づいて表示部１５４に表示される初期画面の表示画像２０００を示す説明図である。
同様に、表示画像２０００には、リンク情報１００２の行１０１２に示したホットスポット情報に従い、表示画像情報１００１によって表される表示画像中の表示位置（０５０、４００）に、カーソル番号『１』に対応し、選択状態を示すカーソル図形２００１が表示される。
（制御部１５５の処理の具体例）
以下では、送信データ８００に基づいて表示画像１８００を表示部１５４に表示させる場合の制御部１５５の処理手順について具体的に説明する。
【０１００】
制御部１５５は、先ず、変数Ｐ−Ｉｎｄｅｘの初期値を『０００１』に、変数Ｃｕｒ−Ｐｏｓの初期値を『１』に設定する。次いで、変数Ｐ−Ｉｎｄｅｘが表す識別番号『０００１』の表示画像情報８０１（音声情報８０２を含む）とリンク情報８０３とを取り込むよう受信分離部１５１に指示する。制御部１５５は、受信データ保持部１５２に格納されている表示画像情報８０１（音声情報８０２を含む）の再生を、再生部１５３に指示する。再生部１５３は、第１ページの表示画像情報８０１を再生し、表示部１５４に出力するとともに、音声情報８０２を再生して音声出力部１５７に出力する。制御部１５５は、受信データ保持部１５２に格納されているリンク情報８０３を解釈し、カーソル図形対応表を作成して、各カーソルの図形情報とその表示位置とを再生部１５３に出力する。このとき、変数Ｃｕｒ−Ｐｏｓが示すカーソル、すなわち１番目のカーソルを選択状態の画像にする。
【０１０１】
制御部１５５は、信号受信部１５６からの入力を待つ。外部のリモコン等から信号受信部１５６に、『上』信号が入力されたとする。入力信号が『上』であれば、制御部１５５は変数Ｃｕｒ−Ｐｏｓの値を１増やす。すなわち変数Ｃｕｒ−Ｐｏｓの値を『２』に設定する。次いで、新たな変数Ｃｕｒ−Ｐｏｓで示されるカーソル番号『２』の図形を選択状態の図形情報とし、元の変数Ｃｕｒ−Ｐｏｓで示されるカーソル番号『１』の図形を非選択状態の図形情報として、それぞれを再生部１５３に出力する。
【０１０２】
制御部１５５は、信号受信部１５６からの割り込みを待ち、割り込み発生後に信号受信部１５６に、『確定』を示す入力信号が保持されていたとする。入力信号が『確定』であれば、制御部１５５は、変数Ｃｕｒ−Ｐｏｓが示すカーソル番号『２』に対応付けられたＸ−Ｙ座標（１００、７００）を、カーソル図形対応表から読み出す。次いで、読み出したＸ−Ｙ座標（１００、７００）をもとに、行８１３のホットスポット情報のリンク先ファイルの識別番号『０００３』を読み出し、読み出したリンク先ファイルの識別番号『０００３』を得る。得られた識別番号『０００３』を変数Ｐ−Ｉｎｄｅｘの値として設定する。次いで、変数Ｐ−Ｉｎｄｅｘで示される識別番号を有した表示画像情報１００１とリンク情報１００２との取り込みを受信分離部１５１に指示する。制御部１５５は、変数Ｃｕｒ−Ｐｏｓの値を『１』に初期化する。
【０１０３】
以下、上記と同様の処理を行うことにより、図２０に示す表示画像２０００を表示部１５４に表示させることができる。また、変数Ｃｕｒ−Ｐｏｓの値が『１』のとき割り込みが発生し、割込みにより制御部１５５が信号受信部１５６を参照したときに、信号受信部１５６が『確定』を示す入力信号を保持していた場合には、制御部１５５は、上記と同様にして、図１９に示す表示画像１９００を表示部１５４に表示させることができる。
（表示制御処理の手順）
図２１は、制御部１５５の表示制御処理の手順の一例を示すフローチャートである。
【０１０４】
制御部１５５は、取り込むべき送信データの識別番号を示す変数Ｐ−Ｉｎｄｅｘを初期値に設定する（ステップＳ２１０１）。
制御部１５５は、各表示画像の初期画面における選択状態のカーソル番号を示す変数Ｃｕｒ−Ｐｏｓを初期値に設定する（ステップＳ２１０２）。
制御部１５５は、変数Ｐ−Ｉｎｄｅｘの識別番号を有する送信データの取り込みを受信分離部１５１に指示する。受信分離部１５１は、制御部１５５の指示に従って、受信した送信データから表示画像情報とリンク情報とを分離し、該当する表示画像情報とリンク情報とを、識別番号により対応づけて受信データ保持部１５２に格納する（ステップＳ２１０３）。
【０１０５】
再生部１５３は、制御部１５５の指示により、受信データ保持部１５２内の表示画像情報を再生し、表示部１５４に出力する。表示画像情報に対応付けられた音声情報があれば、当該音声情報を再生し、音声出力部１５７に出力する（ステップＳ２１０４）。
制御部１５５は、受信データ保持部１５２内のリンク情報を解釈し、カーソル図形を表す図形情報を、その表示位置を示すＸ−Ｙ座標とともに再生部１５３に出力し、その図形情報の再生を指示する。再生部１５３は、制御部１５５から入力された図形情報を再生して、表示部１５４に出力する（ステップＳ２１０５）。これにより、表示部１５４は、１画面の表示画像を表示する。
【０１０６】
制御部１５５は、信号受信部１５６からの割込みを待ち（ステップＳ２１０６）、割込みが発生すると、信号受信部１５６に保持されている入力信号が『上』であるか否かをチェックする（ステップＳ２１０７）。
『上』であれば、変数Ｃｕｒ−Ｐｏｓの値から『１』を減算し（ステップＳ２１０８）、『上』でなければ、『下』であるか否かをチェックする（ステップＳ２１０９）。
【０１０７】
『下』であれば、変数Ｃｕｒ−Ｐｏｓの値に『１』を加算し（ステップＳ２１１０）、『下』でなければ、さらに、『確定』であるか否かをチェックする（ステップＳ２１１１）。
『確定』であれば、そのときの変数Ｃｕｒ−Ｐｏｓの値に従って、カーソル番号→カーソル図形対応表のカーソル表示位置（Ｘ、Ｙ）→ホットスポット情報内のリンク先ファイルの識別番号の順に各値を求め、求められた識別番号を変数Ｐ−Ｉｎｄｅｘの値に設定する。この後、ステップＳ２１０２に戻る。
【０１０８】
『確定』でなければ、ステップＳ２１０６に戻る。
以上のように、本実施の形態によれば、本来であれば、データ受信装置１５０側において、制御情報を解釈しながら生成されるべき表示画像情報を、予めデータ送信装置１１０側で生成して送信するので、データ受信装置１５０の負荷を軽減することができる。また、制御情報に記述されている、表示用文字列の表示制御処理の種類の多さや、処理数の多さに比べれば、リンク情報による制御処理は処理の種類が限定されいるので、比較的処理数も少ない。従って、データ受信装置１５０は、このようなリンク情報を用いて、容易にデータ送信装置１１０との擬似的双方向通信を行うことができる。
【０１０９】
また、本実施例によれば、データ通信システム１００は、インターネット上のＷＷＷホームページを表示する場合、１対多のＴＶ放送を用いて擬似的双方向通信を行うので、パソコンのブラウザを用いて表示する場合に比べて、伝送路の状態による影響を受けずに、速やかに所望のページを表示部１５４に表示させることができる。また、予めＴＶフォーマットで表された表示画像情報を用いるので、容易にフルカラー、高解像度の表示画像を、表示部１５４に表示させることができる。また、ブラウザによって生成された表示画像をＴＶに表示する場合では、表示画像の再生処理など、ＴＶに本来備えられている構成が十分に利用されなかったが、本実施例では、ＴＶに本来備えられているメモリや、デコーダなどを有効に利用して上記擬似的双方向通信を行うことができる。
【０１１０】
なお、本実施の形態では、取得する情報の例として、ＷＷＷで用いられるＨＴＭＬ文書およびそれに関連付けられたＧＩＦ形式の圧縮画像情報とＡＵ形式の音声情報とを示したが、ハイパーカード等の他の形式や言語で記述された情報でもよい。この場合、〈Ａ〉タグに関する処理を、当該形式および当該言語に対応する方法で変更すればよい。また、本実施の形態では、限られたタグのみの含まれるＨＴＭＬ文書の変換の例を示したが、他のタグが含まれていてもよい。
【０１１１】
なお、本実施の形態では、リンク情報による擬似的双方向通信の制御の例として、別の画面を表示する処理を説明したが、前記擬似的双方向通信に加えて、画面を点滅させたり、画面をスクロールさせる処理や、データ受信装置に接続されているＦＡＸ、電話あるいはビデオなどの装置を起動、操作する処理などを記述してもよい。
【０１１２】
なお、上記データ通信システム１００では、送信データ生成部１１２がリンク情報中のファイルを識別番号で記述したが、必ずしも識別番号で記述しなくてもよい。例えば、リンク情報中のファイルの識別番号を、もとのファイル名で記述しておいてもよい。この場合、送信時には各送信データの表示画像情報（音声情報を含む）とリンク情報とに識別番号を付して送信し、これを受信するデータ受信装置１５０側では、起動時に、予め一巡のリンク情報を順次取り込んで、ファイル名と識別番号との対応を調べるようにすればよい。
【０１１３】
また、データ受信装置１５０は、受信データ保持部１５２内に、データ送信装置１１０からくり返し送信されてくる一巡すべての表示画像情報とリンク情報とを格納するようにしてもよい。
（第２の実施の形態）
第１の実施の形態では、データ受信装置において、送信されてくる一群の送信データを全て見ようとした場合、起動後に表示される送信データ以外は、リモコンを用いて、一つずつ選択操作する必要がある。
【０１１４】
これに対して、第２の実施の形態では、一つずつ選択操作することなく、一群のデータを一通り見ることができるように工夫されている。
図２２は、第２の実施の形態であるデータ通信システム２３００の構成を示すブロック図である。このデータ通信システムは、第１の実施の形態のデータ通信システムの受信分離部１５１に代えて受信分離部２３５１を、制御部１５５に代えて制御部２３５５を備えている。その他の構成は、第１の実施の形態のものと基本的に同様なので、第１の実施の形態と同符号を付し、その説明については、省略する。
【０１１５】
なお、本実施の形態以降、同一の識別番号が付された表示用画像情報（音声情報を含む）とリンク情報の１組を送信データまたは受信データの１ページとし、当該ページを識別するページ番号には前記識別番号と同じ番号を用いることとする。
受信分離部２３５１は、第１の実施の形態の受信分離部１５１の機能に加えて、順次受信する送信データから読み取った識別番号を制御部２３５５へ出力するといった機能を有する。送信データからの識別番号の読み取りに関しては、既に、第１の実施の形態で述べたので省略する。
【０１１６】
制御部２３５５は、図２３に示すような、表示回数格納表２４００及び図示しないタイマーＡを有する。図に示すように、表示回数格納表２４００は、ページ番号毎にそのページ番号の表示画像が表示部１５４に表示された回数をカウントする表示回数カウンター２４３０と次の表示候補のページ番号に対応した位置のものがオンされる次表示候補フラグ２４１０とからなる。
【０１１７】
制御部２３５５は、第１の実施の形態の制御部１５５の機能に加え、以下に記す機能を有する。
制御部２３５５は、信号受信部１５６からの入力待ち状態のときに、外部のリモコン等から信号受信部１５６に、「おまかせモード選択」信号が入力されると、以下の処理を行う。なお、「おまかせモード」とは、データ送信装置から送信される複数のページからなる送信データの全てのページを一通り自動的に表示させたいときに選択されるモードをいう。これに対し、第１の実施の形態のように、カーソルの移動、確定指示によって、見たいページを選択して表示させるモードを「通常モード」と定義する。
【０１１８】
制御部２３５５は、表示回数格納表２４００の表示回数カウンターをリセットし、オンされている表示候補フラグをオフし、変数値を記憶するレジスタに初期値を設定し、その初期値で示されるページに対応した、例えば識別番号（ページ番号）『０００１』の表示画像情報（音声情報を含む）とリンク情報とを取り込むよう受信分離部２３５１に指示し、ページ番号１の表示回数カウンターを１にカウントアップさせ、ページ番号１の表示候補フラグをオンさせる。
【０１１９】
さらに、制御部２３５５は、第１の実施の形態と同様の処理により他の構成要素を制御して、ページ番号１の表示画像情報等の再生を行い、タイマーＡをリセット後、スタートさせる。
制御部２３５５は、受信分離部２３５１から出力される識別番号（ページ番号）を入力し、表示回数格納表２４００を参照して、入力したページ番号の表示回数と表示候補フラグがオンされているページ番号の表示回数とを比較する。比較の結果、入力したページ番号の表示回数の方が表示候補フラグがオンされているページ番号の表示回数よりも少ない場合は、それまでオンされていた表示候補フラグをオフし、入力したページ番号の表示候補フラグをオンする。そうでない場合は、受信分離部２３５１から出力される識別番号（ページ番号）を新たに入力し、同様の処理を行う。制御部２３５５は、タイマーＡを参照しながら、所定の時間、例えば２０秒経過するまでの間、上記の処理を繰り返す。所定時間を経過すると、受信分離部２３５１に対し、経過時に表示候補フラグがオンされているページ番号（識別番号）の送信データの取り込み指示をおこなう。そして、指示したページ番号の表示画像情報等の再生が行われると、タイマーＡをリセット後、スタートさせ、以降上記の処理を繰り返す。また、所定時間の間に、「おまかせモード解除」信号が入力されると通常モードに戻る。
【０１２０】
上記構成からなるデータ受信装置の表示制御処理手順ついて、図２４、２６に示すフローチャートを用いて説明する。
なお、本実施の形態における表示制御処理手順は、図２４に示すように、図２１に示す第１の実施の形態の処理手順において、ステップＳ２１０６とステップＳ２１０７との間に、リモコンからの入力信号が「おまかせモード選択」信号か否かを判断するステップＳ２５０２が挿入される他は、第１の実施の形態と同様である。よって、第１の実施の形態と同じステップ番号を付し、それらの説明については省略し、おまかせモードが選択された以降の処理について、図２５に示すフローチャートを用いて説明する。
【０１２１】
おまかせモードが選択されると、制御部２３５５は、表示回数カウンターをリセットし、オンされている表示候補フラグをオフさせ（ステップＳ２６０２）、取り込むべき送信データの識別番号（ページ番号）を示す変数Ｐ─Ｉｎｄｅｘを初期値に設定し（ステップＳ２１０１）、設定したページ番号の表示候補フラグをオンさせ（ステップＳ２６０４）、設定したページ番号の表示回数カウンターをカウントアップさせる（ステップＳ２６０６）。
【０１２２】
つづく、ステップＳ２１０２〜Ｓ２１０５の処理は、図２１に示す第１の実施の形態の同ステップ番号が付された処理と同様なので、その説明については省略する。要は、この間の処理によって、初期設定されたページの画像情報等が表示部等に再生されるのである。
初期設定されたページの画像情報等が表示部等に再生されると、制御部２３５５は、タイマーＡをリセット後スタートさせ（ステップＳ２６０８）、受信分離部から出力される識別番号（ページ番号）を入力し（ステップＳ２６１０）、表示回数格納表２４００を参照して、入力したページ番号の表示回数と表示候補フラグがオンされているページ番号の表示回数とを比較する（ステップＳ２６１２）。
【０１２３】
比較の結果、入力したページ番号の表示回数の方が表示候補フラグがオンされているページ番号の表示回数よりも少ない場合は、それまでオンされていた表示候補フラグをオフし、入力したページ番号の表示候補フラグをオンした後（ステップＳ２６１４）、ステップＳ２６１６に進み、そうでない場合は、ステップＳ２６１４をスキップして、ステップＳ２６１６に進む。
【０１２４】
ステップＳ２６１６で、制御部２３５５は、タイマーＡを参照し、所定時間Ｔａを経過しているか否かを判断する。
経過していないと判断したときは、ステップＳ２６０２に進み、リモコンからおまかせモード解除指示がなされたか否かを判断し、解除指示がなされている場合は、図２４のステップＳ２１０６に進み、解除指示がなされていない場合は、受信分離部２３５１から出力される識別番号（ページ番号）を新たに入力する（ステップＳ２６１０）。
【０１２５】
一方、ステップＳ２６１６で、経過していると判断したときは、ステップＳ２６１８に進み、受信分離部２３５１に対し、経過時に表示候補フラグがオンされているページ番号（識別番号）の送信データの取り込み指示をおこない（ステップＳ２６１８）、ステップＳ２６０６に戻る。
以上のように、本実施の形態によれば、データ受信装置において、おまかせモードが選択されると、データ送信装置から循環的に送信される複数のページからなる送信データの１ページを所定時間Ｔａ表示させている間に、表示中のページの表示回数よりもすくない表示回数のページを選択し、選択したページを所定時間Ｔａ経過後表示させるので、いちいち選択することなく送信データを一通り表示させることができる。
【０１２６】
なお、本実施の形態では、おまかせモードが選択されると、最初に、識別番号１（ページ番号１）の送信データを表示させることとしたが、これに限らず、どのページを表示させてもよい。
（第３の実施の形態）
第３の実施の形態では、「おまかせモード」が選択されると、一群の送信データを一通り表示させる際、できるだけ、送信データの各ページ間に張られたリンクをたどりながら表示させるように工夫されている。
【０１２７】
第３の実施の形態の構成は、図２２に示す第２の実施の形態の構成において、制御部２３５５の処理内容に新たな処理内容が追加されている他は、第２の実施の形態の構成と同様なので、その構成図については省略する。
ここで、本実施の形態において、送信データ保持部１１３には、例えば、各ページ間が図２６に示すような関係を有する送信データが保持されているとする。本図において、方形２７１１〜２７１９はページを表し、矢印２７５１〜２７６２は、ページ間に張られたリンクを表すものである。また、ページ番号Ｑのページを起点とし、ページ番号Ｒのページを終点として張られているリンクにリンク名（Ｑ→Ｒ）を付けて特定することとする。例えば、第１ページを起点とし、第２ページを終点として張られているリンク２７５１のリンク名は（１→２）である。
【０１２８】
第３の実施の形態において、制御部２３５５は、さらに、図２７に示すような、リンク選択回数格納表２８００及び図示しないタイマーＢを有する。図に示すように、リンク名とその選択回数とを対応付けて格納する。リンクについて選択回数とは、次の表示の為に選択された回数をいう。
制御部２３５５の、「おまかせモード選択」信号が入力されてから最初にタイマーＡをリセット・スタートさせるまでの処理は、第２の実施の形態の場合とほぼ同様である。異なるのは、この間に、タイマーＢをリセット・スタートさせる処理が加わることだけである。
【０１２９】
制御部２３５５は、タイマーＡをリセット・スタートさせると、受信データ保持部１５２に保持されているリンク情報を参照し、表示中のページから他のページに張られているリンクの有無を判断し、有れば、次に、タイマーＢを参照して所定の時間Ｔｂ、例えば１００秒経過しているか否かを判断し、経過していなければ、以下の処理を行う。なお、表示中のページから他のページに張られているリンクがなかった場合、また、タイマーＢが所定の時間を経過していた場合の処理については、後述する。
【０１３０】
制御部２３５５は、受信データ保持部１５２のリンク情報とリンク選択回数格納表２８００とを参照し、表示中のページから張られているリンクのそれぞれについて、過去の選択回数を求め（リンク選択回数格納表２８００に格納されていないリンクの選択回数は０回）、選択回数の最も少ないリンクを選択し（複数あるときは、その内の先頭に保持されているリンク）、選択したリンクの選択回数を更新する（回数を１回増やす）。このとき、初めて選択するリンクの場合は、そのリンク名をリンク選択回数格納表２８００に登録した後、そのリンクの選択回数を１に設定する。
【０１３１】
リンクの選択が終了すると、タイマーＡが示す経過時間が、所定の時間Ｔａ、例えば２０秒経過するのを待って、受信分離部２３５１に対し、選択したリンクの終点のページ番号（識別番号）の送信データの取り込み指示をおこなう。そして、指示したページ番号の表示画像情報等の再生が行われると、タイマーＡをリセット・スタートさせ、以降上記の処理を繰り返す。
【０１３２】
即ち、本実施の形態では、基本的には、現在表示中のページから張られているリンクのリンク先のページをその次に表示させるといった具合に、各ページ間に張られているリンクをたどりながら、次々に表示させていくこととしている。
ところが、図２６に示す第６ページ２７１６のように、それ自身から張られているリンクを有しないページが存在し、行き止まりとなることがある。また、第５ページ２７１５が一旦表示されると、以降、第８ページ２７１８と第５ページ２７１５のみが繰り返して表示されることとなる。即ち、送信データの内の一部分の数枚のページのみが繰り返して表示される（以下「ループ表示」という）といった事態が生じる。
【０１３３】
そこで、本実施の形態の制御部２３５５は、表示中のページから他のページに張られているリンクがないと判断した場合、また、たとえ、ループ表示が生じていなかったとしても、タイマーＢが所定の時間（Ｔｂ）を経過したと判断した場合には、第２の実施の形態と同様の処理を行う。即ち、リンク情報とは無関係に、表示回数の少ないページを次に表示させる様な処理を行うことにより、上記した事態を回避する。ここで、所定の時間（Ｔｂ）とは、送信データ保持部に保持されているページ数（データの規模）にもよるが、余り短かすぎると、リンクをたどらずに、脈絡のないページが表示される回数が増え、表示される内容が散漫となるので、散漫とならない程度以上の時間であって、かつ、ループ表示を十分に回避できるような時間である。
【０１３４】
上記構成からなるデータ受信装置の表示制御処理手順であるが、第２の実施の形態の処理手順とは、図２４に示すフローチャートにおいて、おまかせモードが選択された（ステップＳ２５０２）以降の処理が異なる他は、第２の実施の形態と同様なので、おまかせモードが選択された（ステップＳ２５０２）以降の処理について、図２８に示すフローチャートに基づいて説明する。
【０１３５】
また、おまかせモードが選択された直後に行われる一連の処理（ステップＳ２６０２〜Ｓ２６０８）であるが、ステップＳ２６０４とステップＳ２６０６との間に、タイマーＢをリセット後スタートさせる処理ステップＳ２９０２が挿入される他は、図２５に示す第２の実施の形態のステップＳ２６０２〜Ｓ２６０８と同様の処理なので、これらに関してもその説明を省略する。要は、この間に、タイマーＢとタイマーＡとがリセット・スタートされ、初期設定されたページが、表示部等に表示され、表示されたページのページ番号の表示候補フラグがオンされ、表示されたページのページ番号の表示回数がカウントアップされているのである。
【０１３６】
ステップＳ２６０８までの処理が終了すると、ステップＳ２９０４に進み、制御部２３５５は、受信データ保持部１５２に保持されているリンク情報を参照し、表示中のページから他のページに張られているリンクの有無を判断し、無ければ、ステップＳ２６１０に進み、有れば、次に、タイマーＢを参照して所定の時間Ｔｂを経過しているか否かを判断し、経過していれば、ステップＳ２６１０に進む。ステップＳ２６１０〜Ｓ２６２０の処理は、図２５に示す第２の実施の形態のステップＳ２６１０〜Ｓ２６２０と同様の処理なので、その説明は省略する。要は、この間に、表示回数の少ないページから次に表示されるページを選択するのである。そして、選択されたページのページ番号（識別番号）の送信データの取り込み指示をおこない（ステップＳ２６１８）、タイマーＢをリセット・スタートさせた後（ステップＳ２９２０）、ステップＳ２６０６に戻る。
【０１３７】
制御部２３５５は、表示中のページから他のページに張られているリンクが有り（ステップＳ２９０４）、所定の時間Ｔｂを経過していなかった場合（ステップＳ２９０６）、受信データ保持部１５２のリンク情報とリンク選択回数格納表２８００とを参照し、表示中のページから張られているリンクのそれぞれについて、過去の選択回数を求め（ステップＳ２９０８）、選択回数の最も少ないリンクを選択し（ステップＳ２９１０）、選択したリンクの選択回数を更新する（ステップＳ２９１２）。
【０１３８】
リンクの選択が終了すると、タイマーＡが示す経過時間が、所定の時間Ｔａを経過するのを待つ（ステップＳ２９１４）。待っている間に、おまかせモード解除指示があれば（ステップＳ２９１６）、図２４に示すステップＳ２１０５に戻り、無ければ、Ｔａ経過後、受信分離部２３５１に対し、選択したリンクの終点のページ番号（識別番号）の送信データの取り込み指示をおこない（ステップＳ２９１８）、ステップＳ２６０６に戻る。
【０１３９】
以上のように、本実施の形態によれば、データ受信装置において、おまかせモードが選択されると、データ送信装置から循環的に送信される複数のページからなる送信データの１ページを所定時間Ｔａ表示させている間に、表示中のページから張られているリンクのリンク先のページを選択し、選択したページを所定時間Ｔａ経過後表示させるので、いちいち選択することなく送信データを一通り表示させることができる。また、各ページ間に張られているリンクをたどりながら、次々に表示する関係上、現在表示中の送信データと関連のある送信データがその次に表示されることとなるので、表示内容の理解がし易くなる。
【０１４０】
なお、本実施の形態では、ループ表示の問題を解消するために、所定時間経過する度に、回避処理、即ち、次に表示させるページを、リンクをたどって決定するのではなく、それまでに表示回数のすくないページから決定するといった処理をするようにしたが、これに限らず以下のようにしてもよい。
即ち、回避処理を、所定時間経過する度ではなく、送信データが所定回数表示される度に行うようにしてもよい。そのためには、タイマーＢに代えてカウンターを設け、新たな送信データを表示する度にカウントアップさせ、カウンターの値が予め設定しておいた所定の値（所定の回数）を越えたときに回避処理を行い、回避処理をおこなった後に当該カウンターをリセットするようにする。ここで、所定の回数とは、送信データ保持部に保持されているページ数（データの規模）にもよるが、余り少なすぎると、リンクをたどらずに、脈絡のないページが表示される回数が増え、表示される内容が散漫となるので、散漫とならない程度以上の回数であって、かつ、ループ表示を十分に回避できるような回数である。
【０１４１】
また、複数のホットスポットが他の同一のページに関連づけられている、即ち、一つのページから他の一つのページに対して複数のリンクが張られているといったページ（即ち、その複数のリンク名は全て同じになる）を有するようなときには、以下のようにしてもよい。
リンク選択回数格納表２８００に更に、ホットスポット情報の中のカーソル表示位置を格納するカーソル表示位置記憶領域を設け、カーソル表示位置とリンク名と表示回数とを対応付けて格納するようにし、リンク名だけでは識別できない部分をカーソル識別情報で識別するようにする。
【０１４２】
なお、第２、３の実施の形態では、自動モードが選択されると、Ｐ─ＩＮＤＥＸの初期値として、識別番号「０００１」を設定したが、これに限らず、受信データ保持部１５２に保持されているリンク情報を参照し、そのときに表示されているページの識別番号を設定してもよい。
【０１４４】
【発明の効果】
以上のように、本発明に係るデータ受信装置は、複数のページからなる一群の送信データを循環的に送信し、受信装置で受信した受信データの内、１ページ分の受信データを選択して受信装置の表示画面に表示させるテレビ放送システムにおけるデータ受信装置であって、受信データの各ページ毎に、表示画面に表示された回数を記憶する表示回数記憶手段と、自動モードの選択操作手段と、自動モードの選択操作があると、１ページ分の受信データを選択して表示画面に表示させる第１の表示制御手段と、表示画面に新たな受信データが表示される度に、所定の時間内に、表示回数記憶手段を参照し、そのとき表示されているページの表示回数よりも少ない表示回数のページを次に表示させるページとして決定する次ページ決定手段と、前記所定の時間が経過すると、次ページ決定手段が決定したページの受信データを選択し、そのとき表示されている受信データに代えて選択した受信データを表示画面に表示させる第２の表示制御手段とを備え、これによって、自動モードが選択されると、循環的に送信される複数のページからなる一群の送信データの１ページを所定の時間表示させている間に、そのとき表示されているページの表示回数よりも少ない表示回数のページを選択し、選択したページを所定の時間経過後に表示させるので、いちいち選択することなく送信データを一通り表示させることができる。
【０１４５】
また、本発明に係るデータ受信装置は、ページ相互間が１方向または双方向に関連付けられた参照関係を有する複数のページからなる一群の送信データを循環的に送信し、受信装置で受信した受信データの内、１ページ分の受信データを選択して受信装置の表示画面に表示させるテレビ放送システムにおけるデータ受信装置であって、自動モードの選択操作手段と、自動モードの選択操作があると、１ページ分の受信データを選択して表示画面に表示させる第１の表示制御手段と、表示画面に新たな受信データが表示される度に、所定の時間内に、そのとき表示されているページが参照しているページを次に表示させるページとして決定する次ページ決定手段と、前記所定の時間が経過すると、次ページ決定手段が決定したページの受信データを選択し、そのとき表示されている受信データに代えて選択した受信データを表示画面に表示させる第２の表示制御手段とを備え、これによって、自動モードが選択されると、循環的に送信される複数のページからなる一群の送信データの１ページを所定の時間表示させている間に、そのとき表示されているページが参照しているページを選択し、選択したページを所定の時間経過後に表示させるので、いちいち選択することなく送信データを一通り表示させることができる。また、表示中のページが参照しているページ次々に表示することとなる関係上、表示中のページと関連のあるページがその次に表示されることとなるので、表示内容の理解がし易くなる。
【０１４６】
さらに、受信データの各ページ毎に、表示画面に表示された回数を記憶する表示回数記憶手段と、前記次ページ決定手段が次ページを決定できないときには、前記表示回数記憶手段を参照し、そのとき表示されているページの表示回数よりも少ない表示回数のページを次に表示させるページとして決定する代替ページ決定手段とを備えることにより、次ページ決定手段が次ページを決定できないときには、そのとき表示されているページの表示回数よりも少ない表示回数のページを次に表示させるページとして決定されるので、例えば、そのとき表示されているページが参照している他のページがない場合であっても、次ページが決定される。
【０１４７】
さらに、受信データの各ページ毎に、表示画面に表示された回数を記憶する表示回数記憶手段と、自動モードの選択操作があると、時間の測定を開始する時間測定手段と、前記時間測定手段の測定した時間が所定時間となる度に、前記次ページ決定手段の制御を停止し、前記表示回数記憶手段を参照し、そのとき表示されているページの表示回数よりも少ない表示回数のページを次に表示させるページとして決定する代替ページ決定手段とを備えることにより、自動モードが選択されている場合、所定時間が経過する度に、次ページ決定手段の制御が停止され、そのとき表示されているページの表示回数よりも少ない表示回数のページが次に表示させるページとして決定されるので、ループ表示があった場合でも、そのループから脱出することができる。
【０１４８】
さらに、受信データの各ページ毎に、表示画面に表示された回数を記憶する表示回数記憶手段と、自動モードの選択操作があると、受信データが表示画面に表示された回数の記録を開始する表示回数記録手段と、前記表示回数記録手段が記録した回数が所定回数となる度に、前記次ページ決定手段の制御を停止し、前記表示回数記憶手段を参照し、そのとき表示されているページの表示回数よりも少ない表示回数のページを次に表示させるページとして決定する代替ページ決定手段とを備えることにより、自動モードが選択されている場合、表示画面に表示される受信データの表示回数が所定回数となる度に、次ページ決定手段の制御が停止され、そのとき表示されているページの表示回数よりも少ない表示回数のページが次に表示させるページとして決定されるので、ループ表示があった場合でも、そのループから脱出することができる。
また、本発明に係るデータ受信方法は、ページ相互間が１方向または双方向に関連付けられた参照関係を有する複数のページからなる一群の送信データを循環的に送信し、受信装置で受信した受信データの内、１ページ分の受信データを選択して受信装置の表示画面に表示させるテレビ放送システムにおけるデータ受信装置のデータ受信方法であって、自動モードの選択操作ステップと、自動モードの選択操作があると、１ページ分の受信データを選択して表示画面に表示させる第１の表示制御ステップと、表示画面に新たな受信データが表示される度に、所定の時間内に、そのとき表示されているページが参照しているページを次に表示させるページとして決定する次ページ決定ステップと、前記所定の時間が経過すると、次ページ決定手段が決定したページの受信データを選択し、そのとき表示されている受信データに代えて選択した受信データを表示画面に表示させる第２の表示制御ステップとを有し、これによって、自動モードが選択されると、循環的に送信される複数のページからなる一群の送信データの１ページを所定の時間表示させている間に、そのとき表示されているページが参照しているページをページを選択し、選択したページを所定の時間経過後に表示させるので、いちいち選択することなく送信データを一通り表示させることができる。また、表示中のページが参照しているページ次々に表示することとなる関係上、表示中のページと関連のあるページがその次に表示されることとなるので、表示内容の理解がし易くなる。
【図面の簡単な説明】
【図１】本発明の第１の実施の形態であるデータ通信システム１００の構成を示すブロック図である。
【図２】取得リスト記憶部１２１に格納されている取得リスト２００の一例を示す説明図である。
【図３】ＷＷＷホームページの第１ページの一例を記述するＨＴＭＬ文書３０１『Ｒｅｐｏｒｔ．ｈｔｍｌ』を示す説明図である。
【図４】ＷＷＷホームページの第１ページに表示される画像の一例である画像情報４０１『Ｗｅａｔｈｅｒ．ｇｉｆ』を示す説明図である。
【図５】前記ＷＷＷホームページの第２ページの一例を記述するＨＴＭＬ文書５０１『Ｔｏｋｙｏ．ｈｔｍｌ』を示す説明図である。
【図６】前記ＷＷＷホームページの第３ページの一例を記述するＨＴＭＬ文書６０１『Ｏｓａｋａ．ｈｔｍｌ』を示す説明図である。
【図７】データ変換テーブル記憶部１２２に格納されているリンク情報テーブル７００の一例を示す説明図である。
【図８】ＨＴＭＬ文書３０１と音声情報『Ｗｅａｔｈｅｒ．ａｕ』と画像情報４０１とから生成されたＷＷＷホームページの第１ページの送信データ８００を示す説明図である。
【図９】ＨＴＭＬ文書５０１から生成されたＷＷＷホームページの第２ページの送信データ９００を示す説明図である。
【図１０】ＨＴＭＬ文書６０１から生成されたＷＷＷホームページの第３ページの送信データ１０００を示す説明図である。
【図１１】送信部１１６による送信データの送信方法を示す説明図である。
【図１２】データ送信装置１１０全体の概略的処理手順を示すフローチャートである。
【図１３】情報取得部１１１による情報取得処理の手順の一例を示すフローチャートである。
【図１４】送信データ生成部１１２による送信データ生成処理の手順の一例を示すフローチャートである。
【図１５】図１４のステップＳ１３１２における処理手順の一部具体例を示すフローチャートである。
【図１６】制御部１５５が、カーソル図形の表示位置を制御するために作成するカーソル図形対応表の一例を示す説明図である。
【図１７】制御部１５５が保持している図形情報の一例を示す説明図である。
【図１８】図８の送信データ８００に基づいて表示部１５４に表示される初期画面の表示画像１８００を示す説明図である。
【図１９】図９の送信データ９００に基づいて表示部１５４に表示される初期画面の表示画像１９００を示す説明図である。
【図２０】図１０の送信データ１０００に基づいて表示部１５４に表示される初期画面の表示画像２０００を示す説明図である。
【図２１】制御部１５５の表示制御処理の手順の一例を示すフローチャートである。
【図２２】本発明の第２の実施の形態であるデータ通信システム２３００の構成を示すブロック図である。
【図２３】表示回数格納表２４００の一例を示す説明図である。
【図２４】制御部２３５５の表示制御処理手順の一例の一部を示すフローチャートである。
【図２５】制御部２３５５の表示制御処理手順の一例の一部を示すフローチャートである。
【図２６】第３の実施の形態において、送信データ保持部１１３に保持されている送信データの参照関係の一例を示す説明図である。
【図２７】リンク選択回数格納表２８００の一例を示す説明図である。
【図２８】制御部２３５５の表示制御処理手順の一例の一部を示すフローチャートである。
【符号の説明】
１００    データ通信システム
１１０    データ送信装置
１１１    情報取得部
１１２    送信データ生成部
１１３    送信データ保持部
１１４    送信データ読み出し部
１１５    多重化部
１１６    送信部
１２１    取得リスト記憶部
１２２    データ変換テーブル記憶部
１２３    表示画像情報記憶部
１２４    音声情報記憶部
１２５    リンク情報記憶部
１５０    データ受信装置
１５１    受信分離部
１５２    受信データ保持部
１５３    再生部
１５４    表示部
１５５    制御部
１５６    信号受信部
１５７    音声出力部
７００    リンク情報テーブル
７０１    インデックス情報
７０２    ホットスポット情報
２３５５    制御部
【図１】
0003687808.tif 000002
【図２】
0003687808.tif 000003
【図３】
0003687808.tif 000004
【図４】
0003687808.tif 000005
【図５】
0003687808.tif 000006
【図６】
0003687808.tif 000007
【図７】
0003687808.tif 000008
【図８】
0003687808.tif 000009
【図９】
0003687808.tif 000010
【図１０】
0003687808.tif 000011
【図１１】
0003687808.tif 000012
【図１２】
0003687808.tif 000013
【図１３】
0003687808.tif 000014
【図１４】
0003687808.tif 000015
【図１５】
0003687808.tif 000016
【図１６】
0003687808.tif 000017
【図１７】
0003687808.tif 000018
【図１８】
0003687808.tif 000019
【図１９】
0003687808.tif 000020
【図２０】
0003687808.tif 000021
【図２１】
0003687808.tif 000022
【図２２】
0003687808.tif 000023
【図２３】
0003687808.tif 000024
【図２４】
0003687808.tif 000025
【図２５】
0003687808.tif 000026
【図２６】
0003687808.tif 000027
【図２７】
0003687808.tif 000028
【図２８】
0003687808.tif 000029